(57)【要約】本発明は、ＬＴＥのような４Ｇ通信システム以降、より高いデータ伝送率をサポートするための５Ｇ又は「ｐｒｅ−５Ｇ」通信システムに関する。多様な実施形態によれば、時分割複信（ＴＤＤ）に対して１つ以上のサービングセルが設定されたユーザ機器（ＵＥ）の装置が提供される。装置は、少なくとも１つの送受信機及び少なくとも１つの送受信機に機能的に結合された少なくとも１つのプロセッサを含む。少なくとも１つの送受信機は、送信電力制御（ＴＰＣ）命令に対する第１情報及びサウンディング基準信号（ＳＲＳ）要求に対する第２情報を含むＤＣＩフォーマットを用いるＤＣＩを受信し、また、ＤＣＩに基づいてＳＲＳを送信するように構成される。【選択図】  図１
2019513326.tif 000002
【特許請求の範囲】
【請求項１】
時分割複信（ｔｉｍｅ  ｄｉｖｉｓｉｏｎ  ｄｕｐｌｅｘ  ：以下、ＴＤＤ）に対する１つ以上のサービングセル（ｓｅｒｖｉｎｇ  ｃｅｌｌ）が設定されたユーザ機器（ｕｓｅｒ  ｅｑｕｉｐｍｅｎｔ：以下、ＵＥ）装置であって、
少なくとも１つのプロセッサと、
前記少なくとも１つのプロセッサに機能的に結合された少なくとも１つの送受信機と、を有し、
前記少なくとも１つの送受信機は、送信電力制御（ｔｒａｎｓｍｉｔ  ｐｏｗｅｒ  ｃｏｎｔｒｏｌ：以下、ＴＰＣ）命令に対する第１情報及びサウンディング基準信号（ｓｏｕｎｄｉｎｇ  ｒｅｆｅｒｅｎｃｅｓｉｇｎａｌ：以下、ＳＲＳ）要求に対する第２情報を含むＤＣＩ（ｄｏｗｎｌｉｎｋ  ｃｏｎｔｒｏｌ  ｉｎｆｏｒｍａｔｉｏｎ）フォーマットを用いるＤＣＩを受信し、前記ＤＣＩに基づいてＳＲＳを送信するように構成されることを特徴とする装置。
【請求項２】
前記少なくとも１つの送受信機は、上位階層シグナリングを介して基地局から、「ＳＲＳ−ＴＰＣ−ＲＮＴＩ（ｒａｄｉｏ  ｎｅｔｗｏｒｋ  ｔｅｍｐｏｒａｒｙ  ｉｄｅｎｔｉｆｉｅｒ）」を含むメッセージを受信し、
前記「ＳＲＳ−ＴＰＣ  ＲＮＴＩ」によってＣＲＣ（ｃｙｃｌｉｃ  ｒｅｄｕｎｄａｎｃｙ  ｃｈｅｃｋ）スクランブリングされた前記ＤＣＩのＰＤＣＣＨ（ｐｈｙｓｉｃａｌ  ｄｏｗｎｌｉｎｋ  ｃｏｎｔｒｏｌ  ｃｈａｎｎｅｌ）をデコーディングするように構成され、
前記ＰＤＣＣＨは、前記ＤＣＩフォーマットによって共通サーチスペース（ｃｏｍｍｏｎ  ｓｅａｒｃｈ  ｓｐａｃｅ：ＣＳＳ）で送信されることを特徴とする請求項１に記載の装置。
【請求項３】
前記メッセージは、前記ＳＲＳ要求を指示する前記第２情報の位置を指示するパラメータをさらに含むことを特徴とする請求項２に記載の装置。
【請求項４】
前記ＳＲＳは、ＰＵＳＣＨ（ｐｈｙｓｉｃａｌ  ｕｐｌｉｎｋ  ｓｈａｒｅｄ  ｃｈａｎｎｅｌ）／ＰＵＣＣＨ（ｐｈｙｓｉｃａｌ  ｕｐｌｉｎｋ  ｃｏｎｔｒｏｌ  ｃｈａｎｎｅｌ）送信が設定されなかったサービングセルで送信されることを特徴とする請求項１に記載の装置。
【請求項５】
前記ＳＲＳ要求に対する前記第２情報は、前記ＵＥが前記サービングセルで非周期的ＳＲＳ（ａｐｅｒｉｏｄｉｃ  ＳＲＳ：以下、Ａ−ＳＲＳ）を送信するか否かを指示し、
前記ＳＲＳ要求に対する前記第２情報が正数（ｐｏｓｉｔｉｖｅ  ｎｕｍｂｅｒ）を指示する場合、前記ＳＲＳは前記第２情報に応じて前記Ａ−ＳＲＳとして送信され、
前記ＳＲＳ要求に対する前記第２情報が「０」を指示する場合、前記ＳＲＳは上位階層による設定に応じて送信されることを特徴とする請求項４に記載の装置。
【請求項６】
前記少なくとも１つの送受信機は、サブフレーム「ｎ」で前記ＳＲＳ要求を検出し、
最初のサブフレーム（ｎ＋ｋ）（ｋ≧４）が前記１つ以上のサービングセルに対する「ＨＡＲＱ−ＡＣＫ」（ｈｙｂｒｉｄ  ａｕｔｏｍａｔｉｃ  ｒｅｐｅａｔ  ｒｅｑｕｅｓｔ  ａｃｋｎｏｗｌｅｄｇｅｍｅｎｔ）を持たないことを満足する「ｋ」を決定し、
前記最初のサブフレームで前記ＳＲＳを送信するように構成されることを特徴とする請求項４に記載の装置。
【請求項７】
前記少なくとも１つの送受信機は、時間インスタンスｉで、及び前記サービングセルｃで、デシベル／ミリワット（ｄＢｍ）単位のＳＲＳ送信電力ＰＳＲＳ，ｃ（ｉ）で下記に示す式のように前記ＳＲＳを送信するように構成されることを特徴とする請求項４に記載の装置。
2019513326.tif 000074
式中、ｍｉｎ｛ｘ，ｙ｝は、数字ｘ，ｙのうちより小さい数字を示す最小値関数（ｍｉｎｉｍｕｍ  ｆｕｎｃｔｉｏｎ）であり、
ｌｏｇ１０（ｘ）は、数字ｘに対して底を１０とするログ値を示す底が１０であるログ関数（ｌｏｇａｒｉｔｈｍ  ｆｕｎｃｔｉｏｎ）であり、
ＰＣＭＡＸ，ｃ（ｉ）は、前記サービングセルｃに対する上位階層によって設定された時間インスタンスｉの送信電力であり、
ＭＳＲＳ，ｃは、時間インスタンスｉで、及び前記サービングセルｃでのＳＲＳ送信帯域幅であり、
ＰＯ＿ＳＲＳ，ｃ（ｍ）は、前記サービングセルｃに対して上位階層によって設定され、前記ＳＲＳの送信が上位階層によって設定された場合にはｍ＝０になり、前記ＳＲＳ送信が前記ＤＣＩフォーマットによって設定された場合にはｍ＝１になり、
ＰＬｃは、前記サービングセルｃで測定される経路損失値であり、
αＳＲＳ，ｃは、前記サービングセルｃで前記ＳＲＳに対して上位階層によって設定され、
ｆｃ（ｉ）は、時間インスタンスｉ及び前記サービングセルｃでＳＲＳ送信のために、前記ＤＣＩフォーマットの前記ＴＰＣ命令から決定される送信電力制御調整状態である。
【請求項８】
下記に示す式のようであることを特徴とする請求項７に記載の装置
2019513326.tif 000075
式中、ｍａｘ｛ｘ，ｙ｝は、数字ｘ，ｙのうちより大きい数字を示す最大値関数（ｍａｘｉｍｕｍ  ｆｕｎｃｔｉｏｎ）であり、
ＭＳＲＳ，ｃは、前記サービングセルｃで及び第１ＳＲＳ送信の時間インスタンスでのＳＲＳ帯域幅であり、
ΔＰｒａｍｐｕｐｒｅｑｕｅｓｔｅｄ，ｃは、前記サービングセルｃで最初のランダムアクセスプリアンブル送信から最後のランダムアクセスプリアンブル送信までの全体電力ランプ−アップ（ｒａｍｐ−ｕｐ）電力で、上位階層によって設定されたものである。
【請求項９】
前記少なくとも１つの送受信機は、時間インスタンスｉで、及び前記サービングセルｃで、ＳＲＳ送信のための電力ヘッドルーム（ｐｏｗｅｒ  ｈｅａｄｒｏｏｍ：ＰＨ）報告を送信するようにさらに構成され、前記サービングセルｃは、以下の式のように決定されることを特徴とする請求項７に記載の装置。
2019513326.tif 000076
【請求項１０】
基地局の装置であって、
少なくとも１つのプロセッサと、
前記少なくとも１つのプロセッサに機能的に結合された少なくとも１つの送受信機と、を有し、
前記少なくとも１つの送受信機は、時分割複信（ｔｉｍｅ  ｄｉｖｉｓｉｏｎ  ｄｕｐｌｅｘ：ＴＤＤ）に対する１つ以上のサービングセルが設定されたユーザ機器（ＵＥ）に、送信電力制御（ＴＰＣ）命令に対する第１情報及びサウンディング基準信号（ＳＲＳ）要求に対する第２情報を含むＤＣＩ（ｄｏｗｎｌｉｎｋ  ｃｏｎｔｒｏｌ  ｉｎｆｏｒｍａｔｉｏｎ）フォーマットを用いるＤＣＩを送信するように構成されることを特徴とする装置。
【請求項１１】
前記少なくとも１つの送受信機は、「ＳＲＳ−ＴＰＣ  ＲＮＴＩ」（ｒａｄｉｏ  ｎｅｔｗｏｒｋ  ｔｅｍｐｏｒａｒｙ  ｉｄｅｎｔｉｆｉｅｒ）によってＣＲＣ（Ｃｙｃｌｉｃ  Ｒｅｄｕｎｄａｎｃｙ  Ｃｈｅｃｋ）スクランブリングされた前記ＤＣＩのＰＤＣＣＨをデコーディングするための「ＳＲＳ−ＴＰＣ−ＲＮＴＩ」を含むメッセージを上位階層シグナリングを介して前記ＵＥに送信するように構成され、
前記ＰＤＣＣＨは、前記ＤＣＩフォーマットによって共通サーチスペース（ＣＳＳ）で送信され、
前記メッセージは、前記ＳＲＳ要求を指示する前記第２情報の位置を指示するパラメータをさらに含むことを特徴とする請求項１０に記載の装置。
【請求項１２】
前記ＳＲＳは、ＰＵＳＣＨ（ｐｈｙｓｉｃａｌ  ｕｐｌｉｎｋ  ｓｈａｒｅｄ  ｃｈａｎｎｅｌ）／ＰＵＣＣＨ（ｐｈｙｓｉｃａｌ  ｕｐｌｉｎｋ  ｃｏｎｔｒｏｌ  ｃｈａｎｎｅｌ）送信が設定されなかったサービングセルで送信されることを特徴とする請求項１０に記載の装置。
【請求項１３】
前記ＳＲＳ要求に対する前記第２情報は、前記ＵＥが前記サービングセルで非周期的ＳＲＳ（ａｐｅｒｉｏｄｉｃ  ＳＲＳ：Ａ−ＳＲＳ）を送信するか否かを指示し、
前記ＳＲＳ要求に対する前記第２情報が正数（ｐｏｓｉｔｉｖｅ  ｎｕｍｂｅｒ）を指示する場合、前記ＳＲＳは前記第２情報に応じて前記Ａ−ＳＲＳとして送信され、
前記ＳＲＳ要求に対する前記第２情報が「０」を指示する場合、前記ＳＲＳは上位階層による設定に応じて送信されることを特徴とする請求項１２に記載の装置。
【請求項１４】
時分割複信（ｔｉｍｅ  ｄｉｖｉｓｉｏｎ  ｄｕｐｌｅｘ：ＴＤＤ）に対する１つ以上のサービングセルが設定されたユーザ機器装置（ＵＥ）の動作方法であって、
前記ユーザ機器装置（ＵＥ）は、請求項１乃至９のいずれか一項に記載のユーザ機器装置（ＵＥ）で構成されることを特徴とする方法。
【請求項１５】
時分割複信（ｔｉｍｅ  ｄｉｖｉｓｉｏｎ  ｄｕｐｌｅｘ：ＴＤＤ）に対する１つ以上のサービングセルが設定された基地局の動作方法であって、
前記基地局は、請求項１０乃至１３のいずれか一項に記載の基地局の装置で構成されることを特徴とする方法。
【発明の詳細な説明】
【技術分野】
【０００１】
本発明は、一般に無線通信システムに関する。より具体的には、本発明は、通信システムでサウンディング基準信号（ｓｏｕｎｄｉｎｇ  ｒｅｆｅｒｅｎｃｅ  ｓｉｇｎａｌ）を送信するための装置及び方法に関する。
【背景技術】
【０００２】
４Ｇ通信システム（４ｔｈ  ｇｅｎｅｒａｔｉｏｎ）の商用化以降、増加の趨勢にある無線データトラフィック需要を充足させるために、改善された５Ｇ（５ｔｈ  ｇｅｎｅｒａｔｉｏｎ）通信システム又は「ｐｒｅ−５Ｇ」通信システムを開発するための努力が注がれている。
このような理由で、５Ｇ通信システム又は「ｐｒｅ−５Ｇ」通信システムは、４Ｇネットワーク以後の（Ｂｅｙｏｎｄ  ４Ｇ  Ｎｅｔｗｏｒｋ）通信システム又はＬＴＥ（Ｌｏｎｇ  Ｔｅｒｍ  Ｅｖｏｌｕｔｉｏｎ）システム以後の（Ｐｏｓｔ  ＬＴＥ）システムと呼ばれている。
【０００３】
高いデータ伝送率を達成するために、５Ｇ通信システムは、超高周波（ｍｍＷａｖｅ）帯域（例えば、６０ギガ（６０ＧＨｚ）帯域）での具現が考慮されている。
超高周波帯域での電波の経路損失を緩和し電波の伝達距離を増加させるために、５Ｇ通信システムでは、ビームフォーミング（ｂｅａｍｆｏｒｍｉｎｇ）、マッシブマイモ（ｍａｓｓｉｖｅ  ＭＩＭＯ）、全次元ＭＩＭＯ（Ｆｕｌｌ  Ｄｉｍｅｎｓｉｏｎａｌ  ＭＩＭＯ、ＦＤ−ＭＩＭＯ）、アレイアンテナ（ａｒｒａｙ  ａｎｔｅｎｎａ）、アナログビームフォーミング（ａｎａｌｏｇ  ｂｅａｍ−ｆｏｒｍｉｎｇ）及び大規模アンテナ（ｌａｒｇｅ  ｓｃａｌｅ  ａｎｔｅｎｎａ）技術が論議されている。
【０００４】
また、システムネットワークの改善のために、５Ｇ通信システムでは、改善された小型セル（ａｄｖａｎｃｅｄ  ｓｍａｌｌ  ｃｅｌｌ）、クラウド無線アクセスネットワーク（ｃｌｏｕｄ  ｒａｄｉｏ  ａｃｃｅｓｓ  ｎｅｔｗｏｒｋ、ｃｌｏｕｄ  ＲＡＮ）、超高密度ネットワーク（ｕｌｔｒａ−ｄｅｎｓｅ  ｎｅｔｗｏｒｋ）、Ｄ２Ｄ（Ｄｅｖｉｃｅ  ｔｏ  Ｄｅｖｉｃｅ  ｃｏｍｍｕｎｉｃａｔｉｏｎ）通信、無線バックホール（ｗｉｒｅｌｅｓｓ  ｂａｃｋｈａｕｌ）、移動ネットワーク、協調通信、ＣｏＭＰ（Ｃｏｏｒｄｉｎａｔｅｄ  Ｍｕｌｔｉ−Ｐｏｉｎｔｓ）、受信干渉除去などの技術開発が行われている。
【０００５】
その他にも、５Ｇシステムでは、進歩したコーディング変調（Ａｄｖａｎｃｅｄ  Ｃｏｄｉｎｇ  Ｍｏｄｕｌａｔｉｏｎ、ＡＣＭ）方式であるＦＱＡＭ（Ｈｙｂｒｉｄ  Ｆｒｅｑｕｅｎｃｙ  Ｓｈｉｆｔ  Ｋｅｙｉｎｇ  ａｎｄ  Ｑｕａｄｒａｔｕｒｅ  Ａｍｐｌｉｔｕｄｅ  Ｍｏｄｕｌａｔｉｏｎ）及びＳＷＳＣ（Ｓｌｉｄｉｎｇ  Ｗｉｎｄｏｗ  Ｓｕｐｅｒｐｏｓｉｔｉｏｎ  Ｃｏｄｉｎｇ）と、進歩した接続技術であるＦＢＭＣ（Ｆｉｌｔｅｒ  Ｂａｎｋ  Ｍｕｌｔｉ  Ｃａｒｒｉｅｒ）、ＮＯＭＡ（Ｎｏｎ−Ｏｒｔｈｏｇｏｎａｌ  Ｍｕｌｔｉｐｌｅ  Ａｃｃｅｓｓ）、及びＳＣＭＡ（Ｓｐａｒｓｅ  Ｃｏｄｅ  Ｍｕｌｔｉｐｌｅ  Ａｃｃｅｓｓ）などが開発されている。
【０００６】
無線通信は、現代史における最も成功した革新の１つである。
最近では、無線通信サービスの加入者が５０憶人を突破し急速に成長している。
無線データトラフィックの需要は、スマートフォン及びタブレット、「ノートパッド」コンピュータ、ネットブック、電子ブックリーダー、マシンタイプの装置のような他のモバイルデータ装置の消費者及びビジネス分野での人気が上がるにつれ急速に増加している。
モバイルデータトラフィックの急成長を充足させ、新しいアプリケーション及び配置をサポートするためには、無線インタフェースの効率性及びカバレッジの改善が最も重要である。
【発明の概要】
【発明が解決しようとする課題】
【０００７】
本発明は上記従来の通信システムにおける課題に鑑みてなされたものであって、本発明の目的は、通信システムでサウンディング基準信号を送信するための装置及び方法を提供することにある。
【課題を解決するための手段】
【０００８】
上記目的を達成するためになされた本発明の多様な実施形態は、ＣＳＩ報告のための方法及び装置を提供する。
一実施形態で、時分割複信（ｔｉｍｅ  ｄｉｖｉｓｉｏｎ  ｄｕｐｌｅｘ：ＴＤＤ）に対して１つ以上のサービングセルが設定されたユーザ機器（ｕｓｅｒ  ｅｑｕｉｐｍｅｎｔ：ＵＥ）の装置が提供される。
前記装置は、少なくとも１つの送受信機及び前記少なくとも１つの送受信機に機能的に結合された少なくとも１つのプロセッサを含む。
前記少なくとも１つの送受信機は、送信電力制御（ｔｒａｎｓｍｉｔ  ｐｏｗｅｒ  ｃｏｎｔｒｏｌ：ＴＰＣ）命令に対する第１情報及びサウンディング基準信号（ｓｏｕｎｄｉｎｇ  ｒｅｆｅｒｅｎｃｅ  ｓｉｇｎａｌ、ＳＲＳ）要求に対する第２情報を含むＤＣＩ（ｄｏｗｎｌｉｎｋ  ｃｏｎｔｒｏｌ  ｉｎｆｏｒｍａｔｉｏｎ）フォーマットを用いるＤＣＩを受信し、また、前記ＤＣＩに基づいてＳＲＳを送信するように構成される。
【０００９】
上記目的を達成するためになされた本発明による他の実施形態で、ＴＤＤに対して１つ以上のサービングセルが設定されたＵＥの動作方法が提供される。
前記方法は、ＴＰＣ命令に対する第１情報及びＳＲＳ要求に対する第２情報を含むＤＣＩフォーマットを用いるＤＣＩを受信する工程と、前記ＤＣＩに基づいてＳＲＳを送信する工程と、を有する。
【００１０】
上記目的を達成するためになされた本発明によるさらに他の実施形態で、基地局（ｂａｓｅ  ｓｔａｔｉｏｎ：ＢＳ）の装置が提供される。
前記装置は、少なくとも１つの送受信機及び前記少なくとも１つの送受信機に機能的に結合された少なくとも１つのプロセッサを含む。
前記少なくとも１つの送受信機は、ＴＤＤに対して１つ以上のサービングセルが設定されたＵＥに、ＴＰＣ命令に対する第１情報及びＳＲＳ要求に対する第２情報を含むＤＣＩフォーマットを用いるＤＣＩを送信するように構成される。
【００１１】
上記目的を達成するためになされた本発明によるさらに他の実施形態で、ＢＳを動作させる方法が提供される。
前記方法は、ＴＤＤに対する１つ以上のサービングセルが設定されたＵＥに、ＴＰＣ命令に対する第１情報及びＳＲＳに対する第２情報を含むＤＣＩフォーマットを用いるＤＣＩを送信する過程を含む。
【００１２】
他の技術的特徴は、以下の図面、説明及び請求範囲から当業者に容易に明白になるであろう。
以下の詳細な説明の前に、本特許明細書全体にわたって用いられる特定の単語及び句の定義を記載することが役に立つであろう。
用語「結合（ｃｏｕｐｌｅ）」及びその派生語は２つ以上の要素の間のある直接又は間接通信を示したり、それらの要素が互いに物理的に接触しているか否かを示す。
用語「送信（ｔｒａｎｓｍｉｔ）」、「受信（ｒｅｃｅｉｖｅ）」及び「通信（ｃｏｍｍｕｎｉｃａｔｅ）」、並びにその派生語は直接通信及び間接通信をいずれも含む。
用語「含む（ｉｎｃｌｕｄｅ）」及び「構成する（ｃｏｍｐｒｉｓｅ）」、並びにその派生語は制限なく含むことを意味する。
用語「又は（ｏｒ）」は包括的用語で、「及び／又は」を意味する。
句「〜と関連づけられる（ａｓｓｏｃｉａｔｅｄ  ｗｉｔｈ）」及びその派生は〜を含む（ｉｎｃｌｕｄｅ）、〜に含まれる（ｂｅ  ｉｎｃｌｕｄｅｄ  ｗｉｔｈｉｎ）、〜と互いに連結される（ｉｎｔｅｒｃｏｎｎｅｃｔ  ｗｉｔｈ）、〜を含有する（ｃｏｎｔａｉｎ）、〜に含まれる（ｂｅ  ｃｏｎｔａｉｎｅｄ  ｗｉｔｈｉｎ）、〜に接続する（ｃｏｎｎｅｃｔ  ｔｏ  ｏｒ  ｗｉｔｈ）、〜と結合する（ｃｏｕｐｌｅ  ｔｏ  ｏｒ  ｗｉｔｈ）、〜伝達する（ｂｅ  ｃｏｍｍｕｎｉｃａｂｌｅ  ｗｉｔｈ）、〜と協力する（ｃｏｏｐｅｒａｔｅ  ｗｉｔｈ）、〜を挟む（ｉｎｔｅｒｌｅａｖｅ）、〜を並べる（ｊｕｘｔａｐｏｓｅ）、〜に隣接する（ｂｅ  ｐｒｏｘｉｍａｔｅ  ｔｏ）、縛る／縛られる（ｂｅ  ｂｏｕｎｄ  ｔｏ  ｏｒ  ｗｉｔｈ）、所有する（ｈａｖｅ）、属性を持つ（ｈａｖｅ  ａ  ｐｒｏｐｅｒｔｙ  ｏｆ）、〜と関係を持つ（ｈａｖｅ  ａ  ｒｅｌａｔｉｏｎｓｈｉｐ  ｔｏ  ｏｒ  ｗｉｔｈ）などを意味する。
【００１３】
用語「制御機（ｃｏｎｔｒｏｌｌｅｒ）」は、少なくとも１つの動作を制御するある装置、システム又はその一部を意味する。このような制御機は、ハードウェア又はハードウェアとソフトウェアの組み合わせ及び／又はファームウェアで具現することができる。
特定のコントローラと関連づけられた機能はローカル又は遠隔で中央集中（ｃｅｎｔｒａｌｉｚｅｄ）させるか、又は分散（ｄｉｓｔｒｉｂｕｔｅｄ）させることができる。
句「少なくとも１つ」は、それが項目の並べと共に用いられる場合、並べられた項目のうち１つ以上の互いに異なる組み合わせが用いられることができることを意味する。例えば、「Ａ、Ｂ、及びＣのうち少なくとも１つ」は次の組み合わせ、すなわちＡ、Ｂ、Ｃ、ＡとＢ、ＡとＣ、ＢとＣ、さらには、ＡとＢとＣのうちいずれか１つを含む。
【００１４】
また、後述する各種機能は、コンピュータ読み取り可能なプログラムコードで形成されコンピュータ読み取り可能な媒体で具現される１つ以上のコンピュータプログラムの各々によって具現又はサポートされることができる。
用語「アプリケーション」及び「プログラム」は、１つ以上のコンピュータプログラム、ソフトウェアコンポーネント、命令セット、手順、関数、オブジェクト、クラス、インスタンス、関連データ、又は適したコンピュータ読み取り可能なプログラムコードでの具現用に構成されたその一部を示す。
句「コンピュータ読み取り可能なプログラムコード」は、ソースコード、オブジェクトコード、及び実行可能なコードを含むコンピュータコードの種類を含む。
句「コンピュータ読み取り可能な媒体」は、ＲＯＭ（ｒｅａｄ  ｏｎｌｙ  ｍｅｍｏｒｙ）、ＲＡＭ（ｒａｎｄｏｍ  ａｃｃｅｓｓ  ｍｅｍｏｒｙ）、ハードディスクドライブ、コンパクトディスク（ｃｏｍｐａｃｔ  ｄｉｓｃ：ＣＤ）、デジタルビデオディスク（ｄｉｇｉｔａｌ  ｖｉｄｅｏ  ｄｉｓｃ：ＤＶＤ）、又は任意の他のタイプのメモリのような、コンピュータによってアクセスされることができる任意のタイプの媒体を含む。
「非一時的な」コンピュータ読み取り可能な媒体は、有線、無線、光学、一時的な電気的又は他の信号を伝達させる通信リンクを除く。
非一時的コンピュータ読み取り可能な媒体は、データが永続的に保存される媒体、そして、再起録が可能な光ディスク又は消去可能なメモリ装置のような、データが保存され後で上書きされる媒体を含む。
【００１５】
他の特定の単語及び句に対する定義が本特許明細書全般にわたって提供される。
当業者であれば、大半ではないにしろ、多くの場合、そのような定義は従来だけでなく、そのように定義された単語及び句の将来の使用にも適用されることができることを理解すべきである。
【発明の効果】
【００１６】
本発明に係る通信システムでサウンディング基準信号を送信する装置及び方法によればは、ＵＥが他のＵＬ送信が構成されなかったセルでＵＥからのＳＲＳ送信を可能にする。
本発明は、ＵＥがＵＬ送信が構成されなかったセルでのＳＲＳ送信のための電力制御メカニズムを提供する。
また、本発明は、ＵＥがＳＲＳを送信しＵＥがそのセルで他のＵＬ送信が構成されなかったセルに対するＰＨ報告の定義を提供する。
本発明は、ＵＥが他のＵＬ送信が設定されたセルで、及びＵＥがアップリンク（ＵＬ）送信が構成されなかったセルで、ＳＲＳを同時に送信するように構成される場合、ＳＲＳ送信に対する電力割り当てのための優先順位規則を追加的に提供する。
本発明は、ＵＥが他のＵＥ送信が構成されなかったセルでＵＥからのＡ−ＳＲＳ送信タイミングのためのメカニズムをさらに提供することによって、そのセルでのＡ−ＳＲＳの同時送信及び他のセルでのＰＵＳＣＨ／ＰＵＣＣＨの送信を回避するようにする。
本発明は、ＵＥが他のＵＬ送信が構成されなかったセルでＡ−ＳＲＳ送信をトリガするためのメカニズムを提供する。
【図面の簡単な説明】
【００１７】
【図１】本発明の一部の実施形態による例示的な無線ネットワークを示した図である。
【図２Ａ】本発明の一部の実施形態による例示的な無線送信及び受信経路を示した図である。
【図２Ｂ】本発明の一部の実施形態による例示的な無線送信及び受信経路を示した図である。
【図３Ａ】本発明の一部の実施形態による例示的なユーザ機器を示した図である。
【図３Ｂ】本発明の一部の実施形態による例示的なｅＮＢ（ｅｎｈａｎｃｅｄ  ＮｏｄｅＢ）を示した図である。
【図４】ＰＵＳＣＨ送信構造を示した図である。
【図５】本発明の一部の実施形態によるＰＵＳＣＨでのデータ情報及びＵＣＩに対する送信機ブロック図を示した図である。
【図６】本発明の一部の実施形態によるＰＵＳＣＨでのデータ情報及びＵＣＩに対する受信機ブロック図を示した図である。
【図７】本発明の一部の実施形態によるザドフ−チュー（Ｚａｄｏｆｆ−Ｃｈｕ：ＺＣ）シーケンスに対する例示的な送信機構造を示した図である。
【図８】本発明の一部の実施形態によるＺＣシーケンスに対する例示的な受信機構造を示した図である。
【図９】本発明の一部の実施形態によるＣＡを用いる通信を示す図である。
【図１０】本発明の一部の実施形態によって、ＵＥが他のＵＬ送信が設定されなかったセルでＵＥからのＡ−ＳＲＳ送信のためのタイミングを示した図である。
【図１１】本発明の一部の実施形態によって第１セルでＳＲＳを送信するための第２セルでのＰＵＳＣＨ又はＰＵＣＣＨ送信に対する最後のＳＦシンボルのパンクチャリングを示した図である。
【図１２】本発明の一部の実施形態によるＵＥがセルで非周期的ＳＲＳを送信するか否かを示すＳＲＳ−セルＲＮＴＩによってＣＲＣスクランブリングされたＤＣＩフォーマットのコンテンツを示した図である。
【図１３】本発明の一部の実施形態によるＵＥがセルでＡ−ＳＲＳを送信するか否かを示し、また、ＳＲＳ送信電力に適用するＵＥに対するＴＰＣ命令を示すＳＲＳ−ＲＮＴＩによってＣＲＣスクランブリングされたＤＣＩフォーマットのコンテンツを示した図である。
【図１４】本発明の一部の実施形態による周波数ホッピングを用いて複数のＳＦで、１つのＤＣＩフォーマットによってトリガされるＡ−ＳＲＳ送信を示した図である。
【発明を実施するための形態】
【００１８】
以下で説明する図１乃至図１４、及び本明細書における本発明の原理を説明するために用いられる各種実施形態は例示的な方法によるものであって、いかなる方式でも本発明の範囲を制限するものとして解釈されてはならない。
本発明の原理は任意の適切に構成された無線通信システムで具現されることができることを当業者は理解できるであろう。
【００１９】
次の文献及び標準説明、すなわち、３ｒｄ  ｇｅｎｅｒａｔｉｏｎ  ｐａｒｔｎｅｒｓｈｉｐ  ｐｒｏｊｅｃｔ（３ＧＰＰ）ＴＳ  ３６．２１１  ｖ１３．１．０、“Ｅ−ＵＴＲＡ、Ｐｈｙｓｉｃａｌ  ｃｈａｎｎｅｌｓ  ａｎｄ  ｍｏｄｕｌａｔｉｏｎ”（“ＲＥＦ１”）；３ＧＰＰ  ＴＳ  ３６．２１２  ｖ１３．１．０、“Ｅ−ＵＴＲＡ、Ｍｕｌｔｉｐｌｅｘｉｎｇ  ａｎｄ  Ｃｈａｎｎｅｌ  ｃｏｄｉｎｇ”（“ＲＥＦ２”）、３ＧＰＰ  ＴＳ  ３６．２１３  ｖ１３．１．０、“Ｅ−ＵＴＲＡ、Ｐｈｙｓｉｃａｌ  Ｌａｙｅｒ  Ｐｒｏｃｅｄｕｒｅｓ”（“ＲＥＦ３”）；３ＧＰＰ  ＴＳ  ３６．３２１  ｖ１３．１．０、“Ｅ−ＵＴＲＡ、Ｍｅｄｉｕｍ  Ａｃｃｅｓｓ  Ｃｏｎｔｒｏｌ（ＭＡＣ）  ｐｒｏｔｏｃｏｌ  ｓｐｅｃｉｆｉｃａｔｉｏｎ”（“ＲＥＦ４”）；３ＧＰＰ  ＴＳ  ３６．３３１  ｖ１３．１．０、“Ｅ−ＵＴＲＡ、Ｒａｄｉｏ  Ｒｅｓｏｕｒｃｅ  Ｃｏｎｔｒｏｌ（ＲＲＣ）  Ｐｒｏｔｏｃｏｌ  Ｓｐｅｃｉｆｉｃａｔｉｏｎ”（“ＲＥＦ５”）；ａｎｄ  Ｕｎｉｔｅｄ  Ｓｔａｔｅｓ  Ｐａｔｅｎｔ  Ａｐｐｌｉｃａｔｉｏｎ  ｓｅｒｉａｌ  ｎｕｍｂｅｒ  １５／１５２，４６１、“Ｃｏｎｔｒｏｌ  Ｃｈａｎｎｅｌ  Ｔｒａｎｓｍｉｓｓｉｏｎ  ａｎｄ  Ｆｒｅｑｕｅｎｃｙ  Ｅｒｒｏｒ  Ｃｏｒｒｅｃｔｉｏｎ．”（“ＲＥＦ６”）は、本明細書で完全に説明されるように参照として本発明に統合される。
【００２０】
本発明は、時分割複信（ｔｉｍｅ  ｄｉｖｉｓｉｏｎ  ｄｕｐｌｅｘ：ＴＤＤ）を用いる通信システムでキャリアアグリゲーション（ｃａｒｒｉｅｒ  ａｇｇｒｅｇａｔｉｏｎ：ＣＡ）で動作するように構成されたユーザ機器（ｕｓｅｒ  ｅｑｕｉｐｍｅｎｔ：ＵＥ）に関する。
本発明は、ＵＥが他のアップリンク（ｕｐｌｉｎｋ、ＵＬ）送信が設定されなかったセルでＵＥからのサウンディング基準信号（ｓｏｕｎｄｉｎｇ  ｒｅｆｅｒｅｎｃｅ  ｓｉｇｎａｌ、ＳＲＳ）送信を可能にする。
【００２１】
図１は、本発明による、例示的無線ネットワーク１００を示した図である。
図１に示す無線ネットワーク１００の実施形態は単なる説明のためのものである。
無線ネットワーク１００に対する他の実施形態が本発明の範囲から逸脱しない範囲内で用いることができる。
無線ネットワーク１００は、ｅＮＢ（ｅＮｏｄｅＢ）１０１、ｅＮＢ１０２、及びｅＮＢ１０３を含む。
ｅＮＢ１０１は、ｅＮＢ１０２、及びｅＮＢ１０３と通信する。
また、ｅＮＢ１０１は、少なくとも１つのＩＰ（Ｉｎｔｅｒｎｅｔ  Ｐｒｏｔｏｃｏｌ）ネットワーク１３０、例えば、インターネット、専用ＩＰネットワーク、又は他のデータネットワークとも通信する。
【００２２】
ネットワークタイプによっては、「基地局」又は「アクセスポイント」のような他の周知の用語が「ｅＮｏｄｅＢ」又は「ｅＮＢ」の代わりに用いることもできる。
便宜上、用語「ｅＮｏｄｅＢ」及び「ｅＮＢ」は、遠隔端末に無線アクセスを提供するネットワークインフラ構造コンポーネントを示すものとして本明細書では用いる。
また、ネットワークタイプによっては、「移動局」、「加入者局」、「遠隔端末」、「無線端末」、又は「ユーザ装置」のような他の周知の用語が「ユーザ機器」又は「ＵＥ」の代わりに用いることにできる。
便宜上、用語「ユーザ機器」及び「ＵＥ」は、ＵＥが移動装置（例えば、携帯電話又はスマートフォン）でも、一般に考慮される固定式装置（例えば、デスクトップコンピュータ又は自動販売機）であろうと、ｅＮＢに無線でアクセスする遠隔無線端末を示すものとして本明細書では用いる。
【００２３】
ｅＮＢ１０２は、ｅＮＢ１０２のカバレッジ領域１２０内にある第１複数のユーザ機器（ＵＥ）に、ネットワーク１３０への無線広帯域アクセスを提供する。
第１複数のＵＥは、中小企業（ｓｍａｌｌ  ｂｕｓｉｎｅｓｓ：ＳＢ）に位置し得るＵＥ１１１、大企業（Ｅ）に位置し得るＵＥ１１２、ワイファイホットスポット（ＷｉＦｉ  ｈｏｔｓｐｏｔ：ＷｉＦｉＨＳ）に位置し得るＵＥ１１３、第１住居地域（ｒｅｓｉｄｅｎｃｅ：Ｒ）に位置し得るＵＥ１１４、第２住居地域（ｒｅｓｉｄｅｎｃｅ：Ｒ）に位置し得るＵＥ１１５、及び携帯電話、無線ラップトップ、無線ＰＤＡなどのようなモバイル装置（Ｍ）であるＵＥ１１６を含む。
ｅＮＢ１０３は、ｅＮＢ１０３のカバレッジ領域１２５内にある第２複数のＵＥに、ネットワーク１３０への無線広帯域アクセスを提供する。
第２複数のＵＥは、ＵＥ１１５及びＵＥ１１６を含む。
一部の実施形態で、ｅＮＢ（１０１〜１０３）の内の１つ以上のｅＮＢは、５Ｇ、ＬＴＥ（ｌｏｎｇ−ｔｅｒｍ  ｅｖｏｌｕｔｉｏｎ）、ＬＴＥ−Ａ、ＷｉＭＡＸ、又は他の進歩した無線通信技術を用いて互いに及びＵＥ（１１１〜１１６）と通信できる。
【００２４】
点線は、単なる例示及び説明の目的で略円形で示すカバレッジ領域１２０及び１２５の概略的な範囲を示す。
ｅＮＢと関連づけられたカバレッジ領域、例えばカバレッジ領域１２０及び１２５は、ｅＮＢの構成、及び自然及び人工障害物と関連づけられた無線環境の変化によって、不規則な形態を含む他の形態を有することができることを明確に理解すべきである。
【００２５】
以下、詳しく説明する、（ここでは、ｅＮＢを基地局（ＢＳ）と称すれば、）ＢＳ１０１、ＢＳ１０２、及びＢＳ１０３の内の１つ以上は本発明の実施形態で説明される２Ｄアンテナアレイを含む。
一部の実施形態で、ＢＳ１０１、ＢＳ１０２、及びＢＳ１０３の内の１つ以上は、キャリアアグリゲーションを用いてＴＤＤ（Ｔｉｍｅ  Ｄｉｖｉｓｉｏｎ  Ｄｕｐｌｅｘ）システムでサウンディング基準信号の送信をサポートする。
【００２６】
図１は、無線ネットワーク１００の一例を示したものであるが、多様な変化を図１に対して行うこともできる。
例えば、無線ネットワーク１００は、任意の適切な配列で任意の個数のｅＮＢ及び任意の個数のＵＥを含むことができる。
また、ｅＮＢ１０１は、任意の個数のＵＥと直接通信し、該ＵＥにネットワーク１３０への無線広帯域アクセスを提供できる。
これと同様に、各ｅＮＢ（１０２〜１０３）は、ネットワーク１３０と直接通信し、ＵＥにネットワーク１３０への直接無線広帯域アクセスを提供できる。
また、ｅＮＢ１０１、１０２、及び／又は１０３は、外部電話ネットワーク又は他のタイプのデータネットワークのような他の又は追加の外部ネットワークへのアクセスを提供できる。
【００２７】
図２Ａ及び図２Ｂは、本発明の一部の実施形態による例示的な無線送信及び受信経路を示した図である。
次の説明で、送信経路２００は、ｅＮＢ（例えば、ｅＮＢ１０２）で具現されるものとして説明することができ、受信経路２５０は、ＵＥ（例えば、ＵＥ１１６）で具現されるものとして説明することができる。
しかし、受信経路２５０がｅＮＢで具現されてもよく、送信経路２００がＵＥで具現されてもよいことを理解できるであろう。
一部の実施形態で、受信経路２５０は、本発明の実施形態で説明するように、キャリアアグリゲーションを用いてサウンディング基準信号の送信をサポートするように構成される。
【００２８】
送信経路２００は、チャネルコーディング及び変調ブロック２０５、直列−並列（Ｓ−ｔｏ−Ｐ）ブロック２１０、サイズＮ逆高速フーリエ変換（Ｉｎｖｅｒｓｅ  Ｆａｓｔ  Ｆｏｕｒｉｅｒ  Ｔｒａｎｓｆｏｒｍ、ＩＦＦＴ）ブロック２１５、並列−直列（Ｐ−ｔｏ−Ｓ）ブロック２２０、サイクリックプレフィックス加算ブロック２２５、及びアップ−コンバータ（ｕｐ−ｃｏｎｖｅｒｔｅｒ、ＵＣ）２３０を含む。受信経路２５０は、ダウン−コンバータ（ｄｏｗｎ−ｃｏｎｖｅｒｔｅｒ、ＤＣ）２５５、サイクリックプレフィックス除去２６０、直列−並列（Ｓ−ｔｏ−Ｐ）ブロック２６５、サイズＮ高速フーリエ変換（Ｆａｓｔ  Ｆｏｕｒｉｅｒ  Ｔｒａｎｓｆｏｒｍ、ＦＦＴ）ブロック２７０、並列−直列（Ｐ−ｔｏ−Ｓ）ブロック２７５、及びチャネルデコーディング及び復調ブロック２８０を含む。
【００２９】
送信経路２００で、チャネルコーディング及び変調ブロック２０５は、情報ビットのセットを受信して、コーディング（例えば、ＬＤＰＣ（ｌｏｗ−ｄｅｎｓｉｔｙ  ｐａｒｉｔｙ  ｃｈｅｃｋ）コーディング）を適用し、その入力ビットを変調（例えば、ＱＰＳＫ（Ｑｕａｄｒａｔｕｒｅ  Ｐｈａｓｅ  Ｓｈｉｆｔ  Ｋｅｙｉｎｇ）又はＱＡＭ（Ｑｕａｄｒａｔｕｒｅ  Ａｍｐｌｉｔｕｄｅ  Ｍｏｄｕｌａｔｉｏｎ））することで、周波数−領域変調シンボルのシーケンスを生成する。
【００３０】
直列−並列ブロック２１０は、直列変調されたシンボルを並列データに変換（例えば、逆多重化）してＮ並列シンボルストリームを生成し、（ここで、ＮはｅＮＢ１０２及びＵＥ１１６で用いられるＩＦＦＴ／ＦＦＴ大きさである。）その後、サイズＮＩＦＦＴブロック２１５は、Ｎ並列シンボルストリーム上でＩＦＦＴ動作を行い、時間−領域出力信号を生成する。
【００３１】
並列−直列ブロック２２０は、サイズＮＩＦＦＴブロック２１５からの並列時間−領域出力シンボルを変換（すなわち、多重化）して、直列時間−領域信号を生成する。
サイクリックプレフィックス加算ブロック２２５は、時間−領域信号にサイクリックプレフィックスを挿入する。
アップ−コンバータ２３０は、無線チャネルを介した送信のためにサイクリックプレフィックス加算ブロック２２５の出力をＲＦ周波数に変調（例えば、アップコンバート）する。また、該信号はＲＦ周波数に変換する以前に、基底帯域でフィルタリングすることができる。
【００３２】
送信されたＲＦ信号は、無線チャネルを通過した後にＵＥ１１６に到達し、ｅＮＢ１０２での動作に対する逆動作が行われる。
ダウン−コンバータ２５５は、受信された信号を基底帯域周波数にダウンコンバートし、サイクリックプレフィックス除去２６０はそのサイクリックプレフィックスを除去して、直列時間−領域基底帯域信号を生成する。
直列−並列ブロック２６５は、時間−領域基底帯域信号を並列時間−領域信号に変換する。
サイズＮＦＦＴブロック２７０は、ＦＦＴアルゴリズムを行ってＮ並列周波数−領域信号を生成する。
並列−直列ブロック２７５は、並列周波数−領域信号を変調されたデータシンボルのシーケンスに変換する。
チャネルデコーディング及び復調ブロック２８０は、その変調されたシンボルに対する復調を行なった後でデコーディングすることによって、元の入力データストリームを復元する。
【００３３】
ｅＮＢ（１０１〜１０３）の各々は、ＵＥ（１１１〜１１６）へのダウンリンク送信と同様の送信経路を具現することができ、ＵＥ（１１１〜１１６）からのアップリンク受信と同様の受信経路２５０を具現することもできる。
これと同様に、ＵＥ（１１１〜１１６）の各々は、ｅＮＢ（１０１〜１０３）へのアップリンク送信のための送信経路２００を具現することができ、ｅＮＢ（１０１〜１０３）からのダウンリンク受信のための受信経路２５０を具現することもできる。
【００３４】
図２Ａ及び図２Ｂのコンポーネントの各々は、ハードウェアのみを使用して具現したり、ハードウェア及びソフトウェア／ファームウェアの組み合わせを使用して具現することもできる。
特定例として、図２Ａ及び図２Ｂのコンポーネントの内の少なくとも一部はソフトウェアで具現することができるが、一方で、他のコンポーネントは設定可能なハードウェア又はソフトウェアと設定可能なハードウェアの混合によって具現することもできる。
例えば、ＦＦＴブロック２７０及びＩＦＦＴブロック２１５は、設定可能なソフトウェアアルゴリズムとして具現することができ、ここで、サイズＮの値はその具現によって変更することができることに留意する。
【００３５】
また、ＦＦＴ及びＩＦＦＴを用いて説明したが、これは単なる例示によるものであって、本発明の範囲を限定するものとして解釈されてはならない。
ＤＦＴ（ＤｉＳｃｒｅｔｅ  Ｆｏｕｒｉｅｒ  Ｔｒａｎｓｆｏｒｍ）及びＩＤＦＴ（Ｉｎｖｅｒｓｅ  Ｄｉｓｃｒｅｔｅ  Ｆｏｕｒｉｅｒ  Ｔｒａｎｓｆｏｒｍ）関数のような他のタイプの変換を用いることもできる。
ＤＦＴ及びＩＤＦＴ関数の場合、変数Ｎの値は任意の整数（例えば、１、２、３、４等）であることができ、ＦＦＴ及びＩＦＦＴ関数の場合、変数Ｎの値は２の自乗（すなわち、１、２、４、８、１６等）である任意の整数であることができることを理解できるであろう。
【００３６】
図２Ａ及び図２Ｂが無線送信及び受信経路の例を示しているが、多様な変化を図２Ａ及び２Ｂに対して行うことができる。
例えば、図２Ａ及び図２Ｂの多様なコンポーネントが結合されるか、さらに細分化したり省略することができ、特定の要求によっては付加的なコンポーネントを追加することもできる。
また、図２Ａ及び図２Ｂは、無線ネットワークで用いることができる送信及び受信経路のタイプの例を説明するための図である。
無線ネットワークで無線通信をサポートするために任意の他の適合したアーキテクチャを用いることもできる。
【００３７】
図３Ａは、本発明の一部の実施形態による例示的なＵＥ１１６を示した図である。
図３Ａに示すＵＥ１１６の実施形態は単なる説明のためのものであり、図１のＵＥ（１１１〜１１５）は、同じ又は類似の構成を有することができる。
しかし、ＵＥは各種の多様な構成からなり、図３ＡがＵＥに対する任意の特定の具現であって、本発明の範囲を制限しない。
【００３８】
ＵＥ１１６は、アンテナ３０５、無線周波数（ｒａｄｉｏ  ｆｒｅｑｕｅｎｃｙ：ＲＦ）送受信機３１０、送信（ＴＸ）処理回路３１５、マイクロホン３２０、及び受信（ｒｅｃｅｉｖｅ：ＲＸ）処理回路３２５を含む。
また、ＵＥ１１６は、スピーカ３３０、メインプロセッサ３４０、入／出力（ｉｎｐｕｔ／ｏｕｔｐｕｔ：Ｉ／Ｏ）インタフェース（ｉｎｔｅｒｆａｃｅ：ＩＦ）３４５、キーパッド３５０、ディスプレイ３５５、及びメモリ３６０を含む。
【００３９】
メモリ３６０は、オペレーティングシステム（ｏｐｅｒａｔｉｎｇ  ｓｙｓｔｅｍ：ＯＳ）３６１及び１つ以上のアプリケーション３６２を含む。
ＲＦ送受信機３１０は、無線ネットワーク１００のｅＮＢによって送信される内向ＲＦ信号をアンテナ３０５から受信する。
ＲＦ送受信機３１０は、内向ＲＦ信号をダウンコンバートして、中間周波数（ｉｎｔｅｒｍｅｄｉａｔｅ  ｆｒｅｑｕｅｎｃｙ：ＩＦ）又は基底帯域信号を生成する。
ＩＦ又は基底帯域信号は、その基底帯域又はＩＦ信号をフィルタリング、デコーディング、及び／又はデジタル化することによって処理された基底帯域信号を生成するＲＸ処理回路３２５に伝送される。
【００４０】
ＲＸ処理回路３２５は、その処理された基底帯域信号を、スピーカ３３０に送信したり（例えば、音声データ）、又は追加処理のためにメインプロセッサ３４０に送信する（例えば、ウェブブラウジングデータ）。
ＴＸ処理回路３１５は、マイクロホン３２０からアナログ又はデジタル音声データを受信したり又はメインプロセッサ３４０から他の外向基底帯域データ（例えば、ウェブデータ、電子メール、又は双方向ビデオゲームデータ）を受信する。
ＴＸ処理回路３１５は、その外向基底帯域データをエンコーディング、マルチプレキシング、及び／又はデジタル化して、処理された基底帯域又はＩＦ信号を生成する。
ＲＦ送受信機３１０は、ＴＸ処理回路３１５から外向処理された基底帯域又はＩＦ信号を受信し、その基底帯域又はＩＦ信号を、アンテナ３０５を介して送信されるＲＦ信号にアップコンバートする。
【００４１】
メインプロセッサ３４０は、１つ以上のプロセッサ又は他の処理装置を含むことができ、メモリ３６０に格納された基本のＯＳプログラム３６１を実行することによってＵＥ１１６の全般的な動作を制御できる。
例えば、メインプロセッサ３４０は、周知の原理によって、ＲＦ送受信機３１０、ＲＸ処理回路３２５、及びＴＸ処理回路３１５によって逆方向チャネル信号の受信及び逆方向チャネル信号の送信を制御できる。
一部の実施形態で、メインプロセッサ３４０は、少なくとも１つのマイクロプロセッサ又はマイクロ制御機を含む。
また、メインプロセッサ３４０は、本発明の実施形態で説明したように、２Ｄアンテナアレイを有するシステムに対するチャネル品質測定及び報告のための動作のようなメモリ３６０に常駐する他のプロセス及びプログラムを実行できる。
メインプロセッサ３４０は、実行プロセスによる要求に応じてメモリ３６０内に又は外部にデータを移動できる。
【００４２】
一部の実施形態で、メインプロセッサ３４０は、ＯＳプログラム３６１に基づいて、又はｅＮＢ又はオペレータから受信された信号に応じてアプリケーション３６２を実行するように構成される。
また、メインプロセッサ３４０は、ラップトップコンピュータ及び携帯用コンピュータのような他の装置に接続される能力をＵＥ１１６に提供するＩ／Ｏインタフェース３４５にカップリングされている。
Ｉ／Ｏインタフェース３４５は、周辺機器とメインプロセッサ３４０の間の通信経路である。
また、メインプロセッサ３４０は、キーパッド３５０及びディスプレイ３５５にカップリングされる。
ＵＥ１１６のオペレータは、キーパッド３５０を用いてＵＥ１１６にデータを入力できる。
ディスプレイ３５５は、例えば、ウェブサイトからのテキスト及び／又は少なくとも制限されたグラフィックをレンダリングできる液晶表示装置又は他のディスプレイであることができる。
【００４３】
メモリ３６０は、メインプロセッサ３４０にカップリングされる。
メモリ３６０の一部は、ランダムアクセスメモリ（ｒａｎｄｏｍ  ａｃｃｅｓｓ  ｍｅｍｏｒｙ、ＲＡＭ）を含むことができ、メモリ３６０の他の一部はフラッシュメモリ又は他の読み取り専用メモリ（ｒｅａｄ  ｏｎｌｙ  ｍｅｍｏｒｙ：ＲＯＭ）を含むことができる。
【００４４】
図３Ａは、ＵＥ１１６の一例を示したものであるが、多様な変化を図３Ａに対して行うことができる。
例えば、図３Ａの各種コンポーネントを組み合わせたり、さらに細分化したり省略することができ、特定の要求によっては付加的なコンポーネントを追加することもできる。
一特定例として、メインプロセッサ３４０は、複数のプロセッサ、例えば、１つ以上の中央処理ユニット（ｃｅｎｔｒａｌ  ｐｒｏｃｅｓｓｉｎｇ  ｕｎｉｔ：ＣＰＵ）及び１つ以上のグラフィック処理ユニット（ｇｒａｐｈｉｃ  ｐｒｏｃｅｓｓｉｎｇ  ｕｎｉｔ：ＧＰＵ）に分割することができる。
また、図３Ａではモバイル電話やスマートフォンとして構成されるＵＥ１１６を示しているが、ＵＥは他のタイプのモバイル又は固定式装置として動作するように構成することもできる。
【００４５】
多様な実施形態によれば、ユーザ機器（ＵＥ）は、第１個数のビットのブロック、及び第２個数のビットのブロックを含むダウンリンク制御情報（ｄｏｗｎｌｉｎｋ  ｃｏｎｔｒｏｌ  ｉｎｆｏｒｍａｔｉｏｎ：ＤＣＩ）フォーマットを第１個数のビットのブロックから受信するように構成された受信機（ここで、ビットのブロックは送信電力制御（ｔｒａｎｓｍｉｔ  ｐｏｗｅｒ  ｃｏｎｔｒｏｌ：ＴＰＣ）命令に対する正のビット数及びサウンディング基準信号（ＳＲＳ）要求に対するビット数のみを含む）、及び第２個数のビットのブロックから第１ビットのブロックでのＴＰＣ命令の値に基づいて調整された電力でＳＲＳを送信するように構成された送信機を含む。
第１ビットのブロックでのＳＲＳ要求に対するビット数が正数の場合、ＳＲＳ送信はＳＲＳ要求の値に応じて行われ、第１ビットのブロックでのＳＲＳ要求に対するビット数が「０」の場合、ＳＲＳ送信は上位階層による設定に応じて行われる。
【００４６】
一例で、ＴＰＣ命令は、ＳＲＳ送信電力を調整するためにのみ適用可能である。
他の例で、第２個数のビットのブロックは「１」より大きく、第２個数のビットのブロックからの第１ビットのブロックは第１セルでのＳＲＳ送信に適用可能で、第２個数のビットのブロックからの第２ビットのブロックは第２セルでのＳＲＳ送信に適用可能である。
さらに他の例で、ＤＣＩフォーマットサイズの大きさは、第２ＴＰＣ命令のみを含む第２ＤＣＩフォーマットのサイズと同じで、第２ＴＰＣ命令からのＴＰＣ命令はデータ情報を伝達するチャネルの送信電力を調整するために用いられる。
さらに他の例で、ＳＲＳの送信は、データ情報を伝達するチャネルが送信されなかったセルで行われる。
さらに他の例で、ＳＲＳは、複数の各々の時間インスタンスにわたって複数のアンテナセットから送信される。
【００４７】
さらに他の例で、時間インスタンスｉ及びセルｃでのデシベル／ミリワット（ｄＢｍ）単位のＳＲＳ送信電力ＰＳＲＳ，ｃ（ｉ）は、以下に示す式の次のとおりである。
2019513326.tif 000003
式中、ｍｉｎ｛ｘ，ｙ｝は、数字ｘ，ｙの内より小さい数字を示す最小値関数（ｍｉｎｉｍｕｍ  ｆｕｎｃｔｉｏｎ）であり、ｌｏｇ１０（ｘ）は、数字ｘに対して底を１０とするログ値を示す底が１０であるログ関数（ｌｏｇａｒｉｔｈｍ  ｆｕｎｃｔｉｏｎ）であり、ＰＣＭＡＸ，ｃ（ｉ）は、サービングセルｃに対する上位階層によって設定される時間インスタンスｉの送信電力であり、ＭＳＲＳ，ｃは、時間インスタンスｉで及びサービングセルｃでのＳＲＳ送信帯域幅であり、ＰＯ＿ＳＲＳ，ｃ（ｍ）は、サービングセルｃに対して上位階層によって設定され、ＳＲＳの送信が上位階層によって設定された場合にはｍ＝０になり、ＳＲＳ送信がＤＣＩフォーマットによって設定された場合にはｍ＝１になり、ＰＬｃは、サービングセルｃで測定される経路損失値であり、αＳＲＳ，ｃは、サービングセルｃでＳＲＳに対して上位階層によって設定され、また、ｆｃ（ｉ）は、時間インスタンスｉ及びサービングセルｃでＳＲＳ送信のために、ＤＣＩフォーマットのＴＰＣ命令から決定される送信電力制御調整状態である。
【００４８】
さらに他の例として、以下に示す式のとおりである。
2019513326.tif 000004
式中、ｍａｘ｛ｘ，ｙ｝は、数字ｘ，ｙのうちより大きい数字を示す最大値関数（ｍａｘｉｍｕｍ  ｆｕｎｃｔｉｏｎ）であり、ＭＳＲＳ，ｃは、サービングセルｃで及び第１ＳＲＳ送信の時間インスタンスでのＳＲＳ帯域幅であり、ΔＰｒａｍｐｕｐｒｅｑｕｅｓｔｅｄ，ｃは、サービングセルｃで最初のランダムアクセスプリアンブル送信から最後のランダムアクセスプリアンブル送信までの全体ランプアップ（ｒａｍｐ−ｕｐ）された電力であり、上位階層によって設定され、δＳＲＳ，ｃは、ＤＣＩフォーマットでのＴＰＣ命令の値である。
【００４９】
さらに他の例で、時間インスタンスｉ及びセルｃでＳＲＳ送信のための電力ヘッドルーム（ｐｏｗｅｒ  ｈｅａｄｒｏｏｍ：ＰＨ）報告は、以下に示す式のように決定される。
2019513326.tif 000005
【００５０】
多様な実施形態によれば、ユーザ機器（ＵＥ）は、データ伝送ブロック（ｔｒａｎｓｐｏｒｔ  ｂｌｏｃｋ：ＴＢ）の受信をスケジューリングしサウンディング基準信号（ＳＲＳ）の送信をトリガするダウンリンク制御情報（ＤＣＩ）フォーマットを受信するように構成された受信機、及びデータＴＢ受信に応じてＳＲＳ及び確認応答情報を送信するように構成された送信機を含む。
ＳＲＳ送信が確認応答情報送信と時間的に重なる場合、ＵＥはＳＲＳの送信を延期するように構成される。
一例で、確認応答情報送信は、第１セルで行われ、ＳＲＳ送信は第２セルで行われ、ＵＥは第１セル及び第２セルで同時に送信することができない。
他の例で、ＳＲＳ送信は、ＳＲＳ送信のために上位階層によって構成された第１後続時間インスタンスまで延期される。
【００５１】
図３Ｂは、本発明の実施形態による例示的ｅＮＢ１０２を示した図である。
図３Ｂに示すｅＮＢ１０２の実施形態は、単なる説明のためのものであり、図１の他のｅＮＢは同じ又は同様の構成を有することができる。
しかし、ｅＮＢは各種の多様な構成からなり、図３ＢがｅＮＢに対する任意の特定の具現で本発明の範囲を制限しない。
ｅＮＢ１０１及びｅＮＢ１０３は、ｅＮＢ１０２と同じ又は同様の構造を含むことができることに留意する。
【００５２】
図３Ｂに示すように、ｅＮＢ１０２は、複数のアンテナ（３７０ａ〜３７０ｎ）、複数のＲＦ送受信機（３７２ａ〜３７２ｎ）、送信（ｔｒａｎｓｍｉｔ：ＴＸ）処理回路３７４、及び受信（ＲＸ）処理回路３７６を含む。
特定の実施形態で、複数のアンテナ（３７０ａ〜３７０ｎ）の内の１つ以上は２Ｄアンテナアレイを含む。
また、ｅＮＢ１０２は、制御機／プロセッサ３７８、メモリ３８０、及びバックホール又はネットワークインタフェース３８２を含む。
【００５３】
ＲＦ送受信機（３７２ａ−３７２ｎ）は、アンテナ（３７０ａ−３７０ｎ）から、ＵＥ又は他のｅＮＢによって送信される信号と同じ内向ＲＦ信号を受信する。
ＲＦ送受信機（３７２ａ〜３７２ｎ）は、内向ＲＦ信号をダウンコンバートして、ＩＦ又は基底帯域信号を生成する。
ＩＦ又は基底帯域信号は、基底帯域又はＩＦ信号をフィルタリング、デコーディング、及び／又はデジタル化することによって処理された基底帯域信号を生成するＲＸ処理回路３７６に伝送される。
ＲＸ処理回路３７６は、該処理された基底帯域信号を、追加の処理のために制御機／プロセッサ３７８に送信する。
【００５４】
ＴＸ処理回路３７４は、制御機／プロセッサ３７８からアナログ又はデジタルデータ（例えば、音声データ、ウェブデータ、電子メール、又は双方向ビデオゲームデータ）を受信する。
ＴＸ処理回路３７４は、外向（ｏｕｔｇｏｉｎｇ）基底帯域データをエンコーディング、マルチプレキシング、及び／又はデジタル化して、処理された基底帯域又はＩＦ信号を生成する。
ＲＦ送受信機（３７２ａ〜３７２ｎ）は、ＴＸ処理回路３７４から、外向処理された基底帯域又はＩＦ信号を受信し、その基底帯域又はＩＦ信号を、アンテナ（３７０ａ〜３７０ｎ）を介して送信されるＲＦ信号にアップコンバートする。
【００５５】
制御機／プロセッサ３７８は、ｅＮＢ１０２の全般的な動作を制御する１つ以上のプロセッサ又は他の処理装置を含むことができる。
例えば、制御機／プロセッサ３７８は、周知の原理によってＲＦ送受信機（３７２ａ〜３７２ｎ）、ＲＸ処理回路３７６、及びＴＸ処理回路３７４によって逆方向チャネル信号の受信及び逆方向チャネル信号の送信を制御する。
制御機／プロセッサ３７８は、より進歩した無線通信機能のような追加機能もサポートできる。
例えば、制御機／プロセッサ３７８は、ＢＩＳ（ｂｌｉｎｄ  ｉｎｔｅｒｆｅｒｅｎｃｅ  ｓｅｎｓｉｎｇ）アルゴリズムによって行われるようなＢＩＳプロセスを行うことができ、干渉信号が除去された受信信号をデコーディングできる。
任意の各種多様な他の機能が制御機／プロセッサ３７８によってｅＮＢ１０２にサポートすることができる。
一部の実施形態で、制御機／プロセッサ３７８は、少なくとも１つのマイクロプロセッサ又はマイクロ制御機を含む。
【００５６】
また、制御機／プロセッサ３７８は、メモリ３８０に常駐するプログラム及び他のプロセス、例えば、基本ＯＳを実行する。
制御機／プロセッサ３７８は、本発明の実施形態で説明するように、キャリアアグリゲーションを用いてサウンディング基準信号の送信をサポートできる。
一部の実施形態で、制御機／プロセッサ３７８は、ウェブＲＴＣのようなエンティティの間の通信をサポートする。
制御機／プロセッサ３７８は、実行プロセスによる要求に応じてデータをメモリ３８０内に又は外部に移動させることができる。
【００５７】
また、制御機／プロセッサ３７８は、バックホール又はネットワークインタフェース３８２にカップリングされる。
バックホール又はネットワークインタフェース３８２は、ｅＮＢ１０２がバックホール接続を介して、又はネットワークを介して他の装置又はシステムと通信することを可能にする。
インタフェース３８２は、任意の適切な有線又は無線接続（複数）を介した通信をサポートできる。
例えば、ｅＮＢ１０２がセルラー通信システム（例えば、５Ｇ、ＬＴＥ、又はＬＴＥ−Ａをサポートするもの）の一部として具現される場合、インタフェース３８２は、ｅＮＢ１０２が有線又は無線バックホール接続を介して他のｅＮＢと通信することを可能にする。
【００５８】
ｅＮＢ１０２がアクセスポイントとして具現される場合、インタフェース３８２は、ｅＮＢ１０２が有線又は無線ローカル領域ネットワークを介して、又はより大きなネットワーク（例えば、インターネット）に対する有線又は無線接続を介して通信することを可能にする。
インタフェース３８２は、有線又は無線接続、例えば、イーサネット（登録商標）又はＲＦ送受信機を介した通信をサポートする任意の適切な構造を含む。
メモリ３８０は、制御機／プロセッサ３７８にカップリングされる。
メモリ３８０の一部は、ＲＡＭを含むことができ、メモリ３８０の他の一部はフラッシュメモリ又は他のＲＯＭを含むことができる。
特定の実施形態で、ＢＩＳアルゴリズムのような複数の命令がメモリに記憶される。
複数の命令は、制御機／プロセッサ３７８がＢＩＳプロセスを行い、ＢＩＳアルゴリズムによって決定された少なくとも１つの干渉信号を除去した後に受信信号をデコーディングするように構成される。
【００５９】
以下、さらに詳細に説明するように、（ＲＦ送受信機（３７２ａ〜３７２ｎ）、ＴＸ処理回路３７４及び／又はＲＸ処理回路３７６を用いて具現される）ｅＮＢ１０２の送信及び受信経路は、ＦＤＤセル及びＴＤＤセルのアグリゲーションを用いて通信をサポートする。
図３Ｂは、ｅＮＢ１０２の一例を示しているが、多様な変化を図３Ｂに対して行うことができる。
例えば、ｅＮＢ１０２は、図３に示す各コンポーネントに対する任意の個数を含むことができる。
一特定例として、アクセスポイントは複数のインタフェース３８２を含むことができ、制御機／プロセッサ３７８は、互いに異なるネットワークアドレスの間でデータをルーティングするルーティング機能をサポートできる。
他の特定例として、単一インスタンスのＴＸ処理回路３７４及び単一インスタンスのＲＸ処理回路３７６を含むことを示すが、ｅＮＢ１０２は、それぞれに対する複数のインスタンスを含むことができる（例えば、ＲＦ送受信機あたり１つ）。
【００６０】
多様な実施形態によれば、基地局は、複数のビットのブロックを含むダウンリンク制御情報（ＤＣＩ）フォーマットを送信するように構成された送信機（ここで、ビットのブロックは送信電力制御（ＴＰＣ）命令のための正のビット数及びサウンディング基準信号（ＳＲＳ）要求のためのビット数のみを含む）、及び第１ビットのブロックでのＴＰＣ命令の値に基づいて調整される電力でＳＲＳを受信するように構成された受信機を含む。
第１ビットのブロックのＳＲＳ要求のためのビット数が正数の場合、ＳＲＳ要求の値に応じてＳＲＳ受信が行われ、第１ビットのブロックでのＳＲＳ要求のためのビット数が「０」の場合、ＳＲＳ受信は上位階層による設定に応じて行われる。
【００６１】
一例で、ＴＰＣ命令はＳＲＳ送信電力を調整するためにのみ適用可能である。
他の例で、複数のビットのブロックからの第１ビットのブロックは第１セルでのＳＲＳ送信に適用可能で、複数のビットのブロックからの第２ビットのブロックは第２セルでのＳＲＳ送信に適用可能である。
さらに他の例で、ＤＣＩフォーマットサイズの大きさは、第２ＴＰＣ命令のみを含む第２ＤＣＩフォーマットのサイズと同じで、第２ＴＰＣ命令からのＴＰＣ命令は、データ情報を伝達するチャネルの送信電力を調整するために用いられる。
さらに他の例で、ＳＲＳの受信は、基地局が同じ送信機からデータ情報を伝達するチャネル及びＳＲＳを受信しないセルで行われる。
さらに他の例で、ＳＲＳは、複数の各々の時間インスタンスにわたって送信機の複数のアンテナセットから受信される。
【００６２】
多様な実施形態によれば、基地局は、データ伝送ブロック（ＴＢ）の送信をスケジューリングしサウンディング基準信号（ＳＲＳ）の送信をトリガするダウンリンク制御情報（ＤＣＩ）フォーマットを送信するように構成された送信機及びデータＴＢに対する確認応答情報及びＳＲＳを受信するように構成される受信機を含む。
ＳＲＳ受信が確認応答情報受信と時間的に重なる場合、基地局はＳＲＳの受信を延期するように構成される。
一例で、ＳＲＳ受信は、ＳＲＳ受信のために構成された第１後続時間インスタンスに延期される。
【００６３】
通信システムは、基地局又はｅＮＢのような送信ポイントからＵＥに信号を伝達するダウンリンク（ＤＬ）及びＵＥからの信号をｅＮＢのような受信ポイントに伝達するアップリンク（ＵＬ）を含む。
一般に端末又は移動局と称されるＵＥは、固定式又は移動式であることができ、セルラーフォン、個人用コンピュータ装置又は自動化された装置であることができる。
一般に固定式ステーションであるｅＮＢは、アクセスポイント又は他の同等な用語で称される場合もある。
ＤＬ信号は、情報コンテンツを伝達するデータ信号、ＤＬ制御情報（ＤＣＩ）を伝達する制御信号、及びパイロット信号とも知られる基準信号（ＲＳ）を含む。
【００６４】
ｅＮＢは、データ情報又はＤＣＩを各々の物理ＤＬ共有チャネル（ＰＤＳＣＨ（ｐｈｙｓｉｃａｌ  ｄｏｗｎｌｉｎｋ  ｓｈａｒｅｄ  ｃｈａｎｎｅｌ））又は物理ＤＬ制御チャネル（ＰＤＣＣＨ（ｐｈｙｓｉｃａｌ  ｄｏｗｎｌｉｎｋ  ｃｏｎｔｒｏｌ  ｃｈａｎｎｅｌ））を介して送信できる。
ＰＤＣＣＨがＥＰＤＤＣＨ（ｅｎｈａｎｃｅｄ  ＰＤＣＣＨ）であり得るが、簡略化のためにＰＤＣＣＨという用語はＰＤＣＣＨ又はＥＰＤＣＣＨを示すために用いられる。
ＰＤＣＣＨは、１つ以上の制御チャネル要素（ｃｏｎｔｒｏｌ  ｃｈａｎｎｅｌ  ｅｌｅｍｅｎｔ、ＣＣＥ）を介して送信される。
【００６５】
ｅＮＢは、ＵＥ共通ＲＳ（ＵＥ−Ｃｏｍｍｏｎ  ＲＳ：ＣＲＳ）、チャネル状態情報ＲＳ（Ｃｈａｎｎｅｌ  Ｓｔａｔｅ  Ｉｎｆｏｒｍａｔｉｏｎ  ＲＳ：ＣＳＩ−ＲＳ）、及び復調ＲＳ（ＤｅＭｏｄｕｌａｔｉｏｎ  ＲＳ：ＤＭＲＳ）を含む複数のタイプのＲＳの内の１つ以上のＲＳを送信する。
ＣＲＳは、ＤＬシステム帯域幅（ｂａｎｄｗｉｄｔｈ：ＢＷ）を介して送信され、データを復調したり信号を制御したり又は測定を行うためにＵＥによって用いることができる。
ＣＲＳオーバーヘッドを減少させるために、ｅＮＢはＣＲＳより時間及び／又は周波数ドメインにおいてより小さな密度を有するＣＳＩ−ＲＳを送信できる。
チャネル測定のために、「ＮＺＰ  ＣＳＩ−ＲＳ」（Ｎｏｎ−Ｚｅｒｏ  Ｐｏｗｅｒ  ＣＳＩ−ＲＳ）リソースを用いることができる。
【００６６】
干渉測定報告（Ｉｎｔｅｒｆｅｒｅｎｃｅ  Ｍｅａｓｕｒｅｍｅｎｔ  Ｒｅｐｏｒｔ：ＩＭＲ）のために、「ＺＰ  ＣＳＩ−ＲＳ」（Ｚｅｒｏ  Ｐｏｗｅｒ  ＣＳＩ−ＲＳ）と関連付けられたＣＳＩ干渉測定（ＣＳＩ  Ｉｎｔｅｒｆｅｒｅｎｃｅ  Ｍｅａｓｕｒｅｍｅｎｔ：ＣＳＩ−ＩＭ）リソースを用いることができる。
ＣＳＩプロセスは、「ＮＺＰ  ＣＳＩ−ＲＳ」及び「ＣＳＩ−ＩＭ」リソースで構成される。
ＤＭＲＳは、各々のＰＤＳＣＨのＢＷでのみ送信され、ＵＥはＤＭＲＳを用いてＰＤＳＣＨで情報を復調できる。
また、ＵＬ信号は、情報コンテンツを伝達するデータ信号、ＵＬ制御情報（ｕｐｌｉｎｋ  ｃｏｎｔｒｏｌ  ｉｎｆｏｒｍａｔｉｏｎ：ＵＣＩ）を伝達する制御信号、及びＲＳを含む。
ＵＥは、各々のＰＵＳＣＨ（ｐｈｙｓｉｃａｌ  ＵＬ  ｓｈａｒｅｄ  ｃｈａｎｎｅｌ）又はＰＵＣＣＨ（ｐｈｙｓｉｃａｌ  ＵＬ  ｃｏｎｔｒｏｌ  ｃｈａｎｎｅｌ）を介してデータ情報又はＵＣＩを送信する。
【００６７】
ＵＥがデータ情報とＵＣＩを同時に送信する場合、ＵＥはＰＵＳＣＨで多重化できるか、ＰＵＳＣＨでデータ及び一部ＵＣＩを送信でき、ｅＮＢが同時的ＰＵＳＣＨ及びＰＵＣＣＨ送信のためにＵＥを構成する場合に残りのＵＣＩをＰＵＣＣＨで送信できる。
ＵＣＩは、ＰＤＳＣＨでのデータ伝送ブロック（ＴＢ）の正しい又は正しくない検出を示す「ＨＡＲＱ−ＡＣＫ」（ｈｙｂｒｉｄ  ａｕｔｏｍａｔｉｃ  ｒｅｐｅａｔ  ｒｅｑｕｅｓｔ  ａｃｋｎｏｗｌｅｄｇｅｍｅｎｔ）情報、ＵＥがバッファ内にデータを持っているか否かを示すスケジューリング要求（ｓｃｈｅｄｕｌｉｎｇ  ｒｅｑｕｅｓｔ：ＳＲ）、及びｅＮＢにＵＥへのＰＤＳＣＨ又はＰＤＣＣＨ送信リンク適応のための適切なパラメータを選択できるようにするＣＳＩを含む。
【００６８】
ＣＳＩは、ＵＥが経験するＤＬ信号対干渉雑音比（ｓｉｇｎａｌ  ｔｏ  ｉｎｔｅｒｆｅｒｅｎｃｅ  ｐｌｕｓ  ｎｏｉｓｅ  ｒａｔｉｏ：ＳＩＮＲ）をｅＮＢに知らせるＣＱＩ（Ｃｈａｎｎｅｌ  Ｑｕａｌｉｔｙ  Ｉｎｄｉｃａｔｏｒ）と、ＵＥに対するＤＬ送信のためにビームフォーミングを適用する方式をｅＮＢに知らせるＰＭＩ（ｐｒｅｃｏｄｉｎｇ  ｍａｔｒｉｘ  ｉｎｄｉｃａｔｏｒ）と、ｅＮＢにＰＤＳＣＨ送信のためのランクを知らせるランクインジケータ（ｒａｎｋ  ｉｎｄｉｃａｔｏｒ：ＲＩ）と、を含む。
ＵＬＲＳは、ＤＭＲＳ及びサウンディングＲＳ（ｓｏｕｎｄｉｎｇ  ＲＳ：ＳＲＳ）を含む。
【００６９】
ＵＥは、各々のＰＵＳＣＨ又はＰＵＣＣＨのＢＷでのみＤＭＲＳを送信し、ｅＮＢは、ＤＭＲＳを用いてＰＵＳＣＨ又はＰＵＣＣＨで情報を復調できる。
ＵＥは、ＳＲＳを送信してｅＮＢに「ＵＬ  ＣＳＩ」を提供する。
ＵＥからのＳＲＳ送信は、ＰＵＳＣＨ又はＰＤＳＣＨをスケジューリングするＰＤＣＣＨによって伝達されるＤＣＩフォーマットに含まれたＳＲＳ要求フィールドによってトリガされる周期的（Ｐ−ＳＲＳ又はトリガタイプ０ＳＲＳ）又は非周期的（Ａ−ＳＲＳ又はトリガタイプ１ＳＲＳ）なものであり得る。
【００７０】
ＤＬ送信又はＵＬ送信のためのＴＴＩ（ｔｒａｎｓｍｉｓｓｉｏｎ  ｔｉｍｅ  ｉｎｔｅｒｖａｌ）は、サブフレーム（ｓｕｂｆｒａｍｅ：ＳＦ）と称され、２つのスロットを含む。
１０個のＳＦの単位はシステムフレームと称される。
システムフレームは「０」から「１０２３」までのシステムフレーム番号（ｓｙｓｔｅｍ  ｆｒａｍｅ  ｎｕｍｂｅｒ：ＳＦＮ）で識別されて１０個の二進要素（又はビット）で表すことができる。
ＤＬ送信又はＵＬ送信のためのＢＷユニットは、リソースブロック（ｒｅｓｏｕｒｃｅ  ｂｌｏｃｋ：ＲＢ）と称され、１つのスロットにわたる１つのＲＢは、物理ＲＢ（ｐｈｙｓｉｃａｌ  ＲＢ：ＰＲＢ）と称され、１つのＳＦにわたる１つのＲＢは、ＰＲＢ対と称される。
【００７１】
各々のＲＢは、サブ−キャリア、又はリソース要素（ｒｅｓｏｕｒｃｅ  ｅｌｅｍｅｎｔ、ＲＥ）で構成される。
ＲＥは、一対のインデックス（ｋ，ｌ）によって識別され、ここで、ｋは周波数ドメインインデックスで、ｌは時間ドメインインデックスである。
ｅＮＢがＵＥに送信するＰＤＣＣＨで伝達されるＣ−ＲＮＴＩ（ｃｅｌｌ  ｒａｄｉｏ  ｎｅｔｗｏｒｋ  ｔｅｍｐｏｒａｒｙ  ｉｄｅｎｔｉｆｉｅｒ）によってＣＲＣスクランブリングされたＤＣＩフォーマットを通して、ＵＥへのＰＤＳＣＨ送信又はＵＥからのＰＵＳＣＨ送信のためのパラメータを通知し、これはそれぞれ「ＤＬ  ＤＣＩ」フォーマット又は「ＵＬ  ＤＣＩ」フォーマットと称される。
【００７２】
図４は、ＰＵＳＣＨ送信構造を示した図である。
ＳＦ４１０は、２つのスロットを含む。各々のスロット４２０は、データ情報、ＵＣＩ又はＲＳを送信するための
2019513326.tif 000006
シンボル４３０を含む。
各スロットの一部ＰＵＳＣＨシンボルは、ＤＭＲＳ４４０を送信するために用いられる。
各々のＲＢは
2019513326.tif 000007
ＲＥを含み、ＵＥはＰＵＳＣＨ送信ＢＷのための全体
2019513326.tif 000008
ＲＥに対してＭ個の「ＰＵＳＣＨ  ＲＢ」４５０が割り当てられる。
最後のＳＦシンボルは、１つ以上のＵＥからＳＲＳ送信４６０を多重化するために用いられることができる。
データ／ＵＣＩ／ＤＭＲＳ送信のために利用可能なＳＦシンボルの個数は
2019513326.tif 000009
で、ここで、最後のＳＦシンボルがＳＲＳを送信するために用いられる場合はＮＳＲＳ＝１で、そうでない場合はＮＳＲＳ＝０である。
【００７３】
図５は、本発明の一部の実施形態によるＰＵＳＣＨでのデータ情報及びＵＣＩのための送信機ブロック図を示した図である。
コーディングされたＣＳＩシンボル５０５及びコーディングされたデータシンボル５１０はマルチプレクサ５２０によって多重化される。
その後、コーディングされた「ＨＡＲＱ−ＡＣＫ」シンボルがデータシンボル及び／又はＣＳＩシンボルをパンクチャリングすることによってマルチプレクサ５２０によって挿入される。
【００７４】
コーディングされたＲＩシンボルの送信は、コーディングされた「ＨＡＲＱ−ＡＣＫ」シンボル（図示せず）に対するものと類似している。
ＤＦＴユニット５４０によって離散フーリエ変換（ｄｉｓｃｒｅｔｅ  Ｆｏｕｒｉｅｒ  ｔｒａｎｓｆｏｒｍ、ＤＦＴ）が得られ、ＰＵＳＣＨ送信ＢＷに対応するＲＥ５５０がセレクタ５５５によって選択され、ＩＦＦＴユニット５６０によって逆高速フーリエ変換（ｉｎｖｅｒｓｅ  ｆａｓｔ  Ｆｏｕｒｉｅｒ  ｔｒａｎｓｆｏｒｍ、ＩＦＦＴ）が行われ、出力がフィルタ５７０によってフィルタリングされ、電力増幅器（ｐｏｗｅｒ  ａｍｐｌｉｆｉｅｒ：ＰＡ）５８０によって所定の電力が印加された後、信号が送信される（図５の５９０）。
簡略化のために、デジタル−アナログ変換器、フィルタ、増幅器、及び送信機アンテナ、そして、データシンボル及びＵＣＩシンボルのためのエンコーダ並びに変調器のような付加的な送信機回路が省略されている。
【００７５】
図６は、本発明の一部の実施形態によるＰＵＳＣＨでのデータ情報及びＵＣＩのための受信機ブロック図を示した図である。
図６に示す受信機ブロック図の実施形態は単なる説明のためのものである。
本発明の範囲から逸脱することなく他の実施形態を用いることができる。
【００７６】
受信信号６１０は、フィルタ６２０によってフィルタリングされ、ＦＦＴユニット６３０によって高速フーリエ変換（ｆａｓｔ  Ｆｏｕｒｉｅｒ  ｔｒａｎｓｆｏｒｍ、ＦＦＴ）が適用され、送信機によって使用されたＲＥ６５０をセレクタユニット６４０が選択し、逆ＤＦＴ（ｉｎｖｅｒｓｅ  ＤＦＴ、ＩＤＦＴ）ユニットはＩＤＦＴ６６０を適用し、デマルチプレクサ６７０はコーディングされた「ＨＡＲＱ−ＡＣＫ」シンボルを抽出しデータシンボル及びＣＳＩシンボルに対する対応するＲＥにイレーザ（ｅｒａｓｕｒｅ）を配置し、最後に他のデマルチプレクサ６８０がコーディングされたデータシンボル６９０及びコーディングされたＣＳＩシンボル６９５を分離する。
コーディングされたＲＩシンボルの受信はコーディングされた「ＨＡＲＱ−ＡＣＫ」シンボル（図示せず）に対するものと類似している。
簡略化のために、チャネル推定器、データ及びＵＣＩシンボルに対する復調器及びデコーダのような付加的な受信機回路は図示していない。
【００７７】
ＤＭＲＳ又はＳＲＳ送信は、各々のザドフ−チュー（Ｚａｄｏｆｆ−Ｃｈｕ：ＺＣ）シーケンスの送信を介して行うことができる。
2019513326.tif 000010
ＲＢのＵＬシステムＢＷの場合、シーケンス
2019513326.tif 000011
は
2019513326.tif 000012
（式中、
2019513326.tif 000013
はシーケンス長さ、
2019513326.tif 000014
、及び
2019513326.tif 000015
（式中、ｑ番目ルートＺＣシーケンスは
2019513326.tif 000016
によって定義され、
2019513326.tif 000017
で、ｑは
2019513326.tif 000018
によって与えられ、
2019513326.tif 000019
は
2019513326.tif 000020
によって与えられる）によってベースシーケンス
2019513326.tif 000021
のサイクリックシフト（ｃｙｃｌｉｃ  ｓｈｉｆｔ：ＣＳ）によって定義することができる。
ＺＣシーケンスの長さ
2019513326.tif 000022
は
2019513326.tif 000023
である最も大きな素数（ｐｒｉｍｅ  ｎｕｍｂｅｒ）で与えられる。
互いに異なるα値を用いて単一のベースシーケンスから複数のＲＳシーケンスを定義することができる。
【００７８】
図７は、本発明の一部の実施形態によるＺＣシーケンスに対する例示的な送信機構造を示した図である。
図７に示す送信機構造の実施形態は単なる説明のためのものである。
本発明の範囲から逸脱することなく他の実施形態を用いることができる。
【００７９】
長さ
2019513326.tif 000024
ＲＥのＺＣシーケンス７１０は、ＲＥ選択ユニット７３０によって指示されるように、マッパ７２０によって送信ＢＷのＲＥにマッピングされる。
このマッピングは、ＤＭＲＳに対する連続的なＲＥ又はＳＲＳに対する全ての他のＲＥに対して行われることができ、これにより反復ファクター２（又は反復ファクター４に対する全ての４個のＲＥ等）を有する櫛状スペクトルを生成する。
その後、ＩＦＦＴがＩＦＦＴフィルタ７４０によって行われ、ＣＳがＣＳマッパ７５０によって出力に適用され、結果信号がフィルタ７６０によってフィルタリングされる。
送信電力が電力増幅器７７０によって印加され、ＲＳが送信される（図７の７８０）。
【００８０】
図８は、本発明の一部の実施形態によるＺＣシーケンスに対する例示的な受信機構造を示した図である。
図８に示すＺＣシーケンスに対する受信機構造の実施形態は単なる説明のためのものである。
本発明の範囲から逸脱することなく他の実施形態を用いることができる。
【００８１】
受信された信号８１０がフィルタ８２０によってフィルタリングされ、ＣＳがＣＳデマッパ８３０によって復元され、ＦＦＴがフィルタ８４０によって適用され、ＲＥデマッパ８５０は受信ＢＷ８６０の制御機によって表示されたＲＥを選択し、結果信号が複素数乗算器８７０によってＺＣシーケンスのレプリカ８８０と相関された後、出力８９０が時間−周波数補間器のようなチャネル推定器に提供される。
下記に示す表１は、ＳＲＳ送信ＢＷに対する複数の組み合わせを提供する。
ｅＮＢは、システム情報を介してセル固有「ＳＲＳ  ＢＷ」構成ｃをシグナリングできる。
【００８２】
例えば、３ビットが表１の８個の構成のうち１つを表すことができる。その後、ｅＮＢは「ＳＲＳ  ＢＷ」構成ｃに対するｂの値を表示することによって（ＲＢ内の）ＳＲＳ送信ＢＷ
2019513326.tif 000025
を各々のＵＥに割り当てることができる。
Ｐ−ＳＲＳの場合、これは２ビットの上位階層シグナリングによるものであることができる。
Ａ−ＳＲＳの場合、これは上位階層シグナリングによってＵＥに構成されたＢＷのセットから１つのＢＷを動的に示す各々のＤＣＩフォーマットによって行われることができる。
最大「ＳＲＳ  ＢＷ」の変化は主に「ＵＬ  ＢＷ」の２つのエッジでのＰＵＣＣＨ送信に対する総ＢＷ割り当ての変化を回避するためである。
ｅＮＢは、システム情報セル固有ＳＲＳ送信ＳＦを介してシグナリングすることもできる。
【００８３】
2019513326.tif 000026
【表１】
2019513326.tif 000027
【００８４】
ＵＥは、ＳＲＳ送信が上位階層シグナリングによってトリガされる場合は、トリガタイプ０に基づいて、又はＳＲＳ送信がＦＤＤ及びＴＤＤに対するＤＣＩフォーマット０／４／１Ａの検出及びＴＤＤに対するＤＣＩフォーマット２Ｂ／２Ｃ／２Ｄ検出によってトリガされる場合は、トリガタイプ１に基づいて、セルＳＲＳリソースごとにＳＲＳリソースを送信する。
ＳＲＳ要求フィールドは、ＤＣＩフォーマット０／１Ａ／２Ｂ／２Ｃ／２Ｄに対して１ビットの大きさを有し、ＳＲＳ要求フィールドの値が「１」に設定される場合はトリガされるタイプ１ＳＲＳを有する。
ＳＲＳ要求フィールドは、ＤＣＩフォーマット４に対して２ビットの大きさを有し、２ビットに対するマッピングが以下に示す表２と同じであることができる。
【００８５】
トリガタイプ０及びトリガタイプ１ＳＲＳ送信のいずれも同じＳＦ及び同じセルで発生する場合、ＵＥはトリガタイプ１ＳＲＳのみを送信する。
トリガタイプ０ＳＲＳ又はトリガタイプ１ＳＲＳに対する送信パラメータはセル固有であって、上位階層によってＵＥに構成される。
簡略化のために、トリガタイプ０ＳＲＳを周期的ＳＲＳ（ｐｅｒｉｏｄｉｃ  ＳＲＳ：Ｐ−ＳＲＳ）と称し、トリガタイプ１ＳＲＳを非周期的ＳＲＳ（ａｐｅｒｉｏｄｉｃ  ＳＲＳ：Ａ−ＳＲＳ）と称することにする。
上位階層構成は無線リソース制御（ｒａｄｉｏ  ｒｅｓｏｕｒｃｅ  ｃｏｎｔｒｏｌ：ＲＲＣ）シグナリングを介したＵＥ固有であることもでき、又はシステム情報シグナリングを介したセル固有であることもできる。
【００８６】
表２：ＤＣＩフォーマット４でトリガタイプ１に対するＳＲＳ要求値
【表２】
2019513326.tif 000028
【００８７】
ＴＤＤ通信システムでは、一部のＳＦでの通信方向がＤＬであり、一部の他のＳＦではＵＬである。
以下に示す表３は、１つのシステムフレーム区間に対する「ＴＤ  ＤＵＬ−ＤＬ」構成を示す。
「Ｄ」は「ＤＬ  ＳＦ」を示し、「Ｕ」は「ＵＬ  ＳＦ」を示し、「Ｓ」はＤｗＰＴＳと称されるＤＬ送信フィールド、ガード区間（ｇｕａｒｄ  ｐｅｒｉｏｄ：ＧＰ）、及びアップリンクパイロット時間スロット（ｕｐｌｉｎｋ  ｐｉｌｏｔ  ｔｉｍｅ  ｓｌｏｔ：ＵｐＰＴＳ）と称されるＵＬ送信フィールドを含む特殊ＳＦを示す。
総持続期間が１ＳＦである条件によって特殊ＳＦ内の各フィールドの持続期間においては様々な組み合わせが存在する。
【００８８】
表３：ＴＤ  ＤＵＬ−ＤＬ構成
【表３】
2019513326.tif 000029
【００８９】
ＴＤＤにおいて、セルｃでＡ−ＳＲＳ送信のために構成されたＵＥは、セルｃのＳＦｎでポジティブＳＲＳ要求を検出する場合、ｎ＋ｋ、ｋ≧４及び
2019513326.tif 000030
を満足する（式中、ｋＳＲＳは、下記に示す表４又は表４Ａに定義されている）第１ＳＦでＳＲＳを送信する。
【００９０】
表４：２シンボル又は１シンボルのＵｐＰＴＳ長さに対するＴＤＤ用ｋＳＲＳ
【表４】
2019513326.tif 000031
表４Ａ：４シンボルのＵｐＰＴＳの場合のＴＤＤ用ｋＳＲＳ
【表４Ａ】
2019513326.tif 000032
【００９１】
ＴＤＤセルにおいて、ｅＮＢは下記に示す表５で定義されたＡ−ＳＲＳ周期、ＴＳＲＳ、及び「Ａ−ＳＲＳ  ＳＦ」オフセット、Ｔｏｆｆｓｅｔ，１をＵＥに対して構成する。
ＴＳＲＳ，１はセル固有で、セット｛２，５，１０｝ＳＦから選択される。
ＴＳＲＳ，１＝２ＳＦの場合、２つのＳＲＳリソースが与えられたセルの「ＵＬ  ＳＦ」を含むハーフ（ｈａｌｆ）フレーム内に構成される。
【００９２】
表５：ＴＤＤにおけるＡ−ＳＲＳに対するＵＥ固有の周期ＴＳＲＳ，１及びＳＦオフセット構成Ｔｏｆｆｓｅｔ，１
【表５】
2019513326.tif 000033
【００９３】
ネットワーク容量及びデータ速度増加に対する要求を満足するための１つのメカニズムは、ネットワーク高密度化である。
これは小型のセルを配置することによってネットワークノード数とＵＥに対する近接性を高めセル分割利得を提供することによって実現される。
小型セルの数が増加し小型セルの配置が密集化されることによって、ハンドオーバ周波数及びハンドオーバ失敗率も著しく増加できる。
マクロ−セルに対するＲＲＣ接続を維持することによって、移動性管理、ページング及びシステム情報アップデートのような制御−プレーン（ｃｏｎｔｒｏｌ−ｐｌａｎｅ：Ｃ−ｐｌａｎｅ）機能がマクロ−セルによってのみ提供されることができるので、小型セルとの通信が最適化されることができ、小型セルはユーザ−データプレーン（ｕｓｅｒ−ｄａｔａ  ｐｌａｎｅ：Ｕ−ｐｌａｎｅ）通信専用に用いることができる。
【００９４】
ネットワークノード（セル）の間のバックホールリンク待機時間が実質的に「０」である場合、ＲＥＦ３でのようにキャリアアグリゲーション（ｃａｒｒｉｅｒ  ａｇｇｒｅｇａｔｉｏｎ：ＣＡ）を用いることができ、中央のエンティティによってスケジューリング決定が作られて各ネットワークノードに伝達することができる。
ＵＥ送信に対する電波遅延が互いに異なるセルに対して同じでない場合、セルは電波遅延によってグループ化されることができ、各々のグループは互いに異なるタイミングアドバンスグループ（ｔｉｍｉｎｇ  ａｄｖａｎｃｅ  ｇｒｏｕｐ：ＴＡＧ）命令と関連づけられることができる。
【００９５】
図９は、本発明の一部の実施形態によるＣＡを利用した通信を示す図である。
図９に示す実施形態は単なる説明のためのものである。
本発明の範囲から逸脱することなく他の実施形態を用いることができる。
【００９６】
ＵＥ９１０は、第１キャリア周波数ｆ１（図９の９３０）を使用してマクロ−セルに対応する１つのセル９２０内の第１ｅＮＢと通信し、また、キャリア周波数ｆ２（図９の９５０）を使用して小型セルに対応する第２セル９４０内の第２ｅＮＢと通信する。
第１ｅＮＢ及び第２ｅＮＢは、待機時間を無視できるバックホールを介して接続される。
また、第１ｅＮＢ及び第２ｅＮＢは、同じｅＮＢであり第１セル及び第２セルは互いに異なるキャリア周波数に対応できる。
ＵＥは、共通サーチスペース（ｃｏｍｍｏｎ  ｓｅａｒｃｈ  ｓｐａｃｅ：ＣＳＳ）でｅＮＢからＵＥ共通情報を提供するＰＤＣＣＨ送信をモニタリングする。
ＣＡの場合、ＣＳＳはプライマリセル（ｐｒｉｍａｒｙ  ｃｅｌｌ：ＰＣｅｌｌ）と称される１つのセルに位置する。
【００９７】
ＵＥはＰＣｅｌｌでＰＵＣＣＨを送信する。
ｅＮＢは、また、プライマリセカンダリセル（ｐｒｉｍａｒｙ  ｓｅｃｏｎｄａｒｙ  ｃｅｌｌ：ＰＳＣｅｌｌ）内のセルグループと関連づけられたＵＣＩに対するＰＵＣＣＨ送信のためにＵＥを構成できる。
ＰＣｅｌｌのＰＵＣＣＨで関連づけられたＵＣＩ送信を有するセルグループは、プライマリセルグループ（ｐｒｉｍａｒｙ  ｃｅｌｌ  ｇｒｏｕｐ、ＰＣＧ）と称され、ＰＳＣｅｌｌのＰＵＣＣＨで関連づけられたＵＣＩを有するセルグループはセカンダリセルグループ（ｓｅｃｏｎｄａｒｙ  ｃｅｌｌ  ｇｒｏｕｐ：ＳＣＧ）と称される。
明示的に言及されない限り、次の説明は、ＰＣＧとＳＣＧのいずれにも適用されるが、簡略化のために、ＰＣＧとＳＣＧの間又はＰＣｅｌｌとＰＳＣｅｌｌの間の差別化は考慮しない。
【００９８】
セルｃにおいてＳＦｉで送信されるＳＲＳに対するＵＥ送信電力ＰＳＲＳの設定は、下記に示す数式１のように定義される。
【数１】
2019513326.tif 000034
ここで、ＰＣＭＡＸ，ｃ（ｉ）は、セルｃにおいてＳＦｉでの構成されたＵＥ送信電力であり、ＰＳＲＳ＿ＯＦＦＳＥＴ，ｃ（ｍ）は、セルｃにおいてＰ−ＳＲＳ（ｍ＝０）及びＡ−ＳＲＳ（ｍ＝１）に対して上位階層によって構成され、ＭＳＲＳ，ｃは、ＲＢの個数で表現されたセルｃにおいてＳＦｉでのＳＲＳ送信ＢＷであり、セルｃに対する上位階層によって送信電力制御（ｔｒａｎｓｍｉｓｓｉｏｎ  ｐｏｗｅｒ  ｃｏｎｔｒｏｌ、ＴＰＣ）命令
2019513326.tif 000035
の蓄積がイネーブルされる場合は
2019513326.tif 000036
であり、セルｃに対する上位階層
によってＴＣＰ命令
2019513326.tif 000037
の蓄積がイネーブルされる場合は
2019513326.tif 000038
であり、ここで、
2019513326.tif 000039
は、ＵＥが上位階層によって設定される「ＴＰＣ−ＰＵＳＣＨ−ＲＮＴＩ」でＣＲＣスクランブリングされるＤＣＩフォーマット３／３ＡによってＵＥに提供されるＴＰＣ命令であり、ＤＣＩフォーマット３は、２ビットで表現されるＴＰＣ命令を含み、ＤＣＩフォーマット３Ａは１ビットで表現されるＴＰＣ命令を含み、
また、ＰＯ＿ＰＵＳＣＨ，ｃ（１）及びαｃ（１）は、セルｃでＰＵＳＣＨ送信のために上位階層によって構成され、ここで、ＰＯ＿ＰＵＳＣＨ，ｃ（１）は、セル固有のコンポーネントとＵＥ固有のコンポーネントの和である（ＲＥＦ３参照）。
【００９９】
多数のアンテナポートを通したＵＬ送信（ＰＵＳＣＨ、ＰＵＣＣＨ、ＳＲＳ）の場合、送信電力は、まずＵＬ送信のためのアンテナポートの個数に対するそのアンテナポートの個数の比率によってスケーリングされる。
その結果、生成されるスケーリングされた電力は、ＵＬ送信のアンテナポートにわたって同等に分割される。
【０１００】
ＳＲＳに対する総ＵＥ送信電力が
2019513326.tif 000040
を超過する場合、ＵＥは下記に示す数式２の条件が満足されるようにＳＦｉでセルｃに対する
2019513326.tif 000041
をスケーリングする。
【数２】
2019513326.tif 000042
【０１０１】
式中、
2019513326.tif 000043
は、ＰＳＲＳ，ｃ（ｉ）の線形値で、
2019513326.tif 000044
は、ＳＦｉでＰＣＭＡＸの線形値で、ｗ（ｉ）は、０＜ｗ（ｉ）≦１であるセルｃに対する
2019513326.tif 000045
のスケーリングファクターである。ｗ（ｉ）値は全てのセルにわたって同じである。
【０１０２】
セルｃでＡ−ＳＲＳ送信のために構成されキャリア識別子フィールド（ｃａｒｒｉｅｒ  ｉｎｄｉｃａｔｏｒ  ｆｉｅｌｄ：ＣＩＦ）で構成されないＵＥは、サービングセルｃのＰＤＣＨＣＨスケジューリングＰＵＳＣＨ／ＰＤＳＣＨでポジティブＳＲＳ要求を検出するとセルｃでＡ−ＳＲＳを伝送する。
セルｃでＡ−ＳＲＳ送信が設定され、また、ＣＩＦが設定されたＵＥは、セルｃに対応するＣＩＦ値を有するＰＤＣＣＨスケジューリングＰＵＳＣＨ／ＰＤＳＣＨでポジティブＳＲＳ要求を検出する際には、セルｃでＳＲＳを送信する。
【０１０３】
ＵＥは、ｅＮＢがＵＬ送信のためにＵＥで利用可能な電力の推定値を取得するようにするために、ｅＮＢに電力ヘッドルーム（ｐｏｗｅｒ  ｈｅａｄｒｏｏｍ：ＰＨ）報告を提供できる。
例えば、ＵＥがセルｃに対するＳＦｉでＰＵＣＣＨなしにＰＵＳＣＨを送信する場合、タイプ１ＰＨ報告は下記に示す数式３のように定義される。
【数３】
2019513326.tif 000046
【０１０４】
ＵＥがセルｃに対するＳＦｉでＰＵＳＣＨを送信しない場合、タイプ１ＰＨ報告（仮想ＰＨ報告）は下記に示す数式４のように定義され、ここで、
2019513326.tif 000047
は、ＲＥＦ３に記載されたように計算される。
【数４】
2019513326.tif 000048
【０１０５】
ＴＤＤシステムの場合、ＤＬ送信及びＵＬ送信は同じＢＷを介して行われるので、ｅＮＢからＵＥへのＤＬ送信及びＵＥからｅＮＢへのＵＬ送信は同じチャネルを経験する。
結果として、ｅＮＢはＵＥからのＳＲＳ送信の受信からＵＥに対する（チャネル相互性を用いるＤＬビームフォーミングのための）ＰＭＩを得られる。
また、ｅＮＢからの送信に対してＵＥで経験される干渉は、ＵＥからのＵＬ送信に対してｅＮＢで経験される干渉と異なる場合があるが、ｅＮＢ及びＵＥはコロケート（ｃｏｌｌｏｃａｔｅｄ）されないので、類似の干渉が観察された場合の作動条件が存在できる。
この場合には、ＳＲＳ送信が既にチャネル応答推定も提供するので、ＳＲＳ送信はＤＬ送信に対するＣＱＩ推定も提供できる。
例えば、ｅＮＢ及びＵＥが室内に位置するか、又はｅＮＢ及びＵＥが室外に位置するか、ｅＮＢ高度が相対的に低い場合のようにＵＥがｅＮＢに近接してあり、かつ、ｅＮＢ及びＵＥが類似の高度を有する場合、類似の干渉がＵＥ及びｅＮＢによって経験され得る。
【０１０６】
ＵＬに比べてＤＬでより大きくなる傾向を有するデータトラフィックパターン、ＵＥ複雑性の様相、及び放出と関連する規制要求事項によって、ＣＡ可能なＵＥは、通常、ＤＬセルの個数に比べて遥かに少ない個数のＵＬセルをサポートするか、又はそのサポートのために構成される。
例えば、ＵＥには５つより多いＤＬセル及び１つ又は２つのＵＬセルのみを有するＣＡ動作が構成され得る。
この場合及びＴＤＤシステムにおいて、ＵＥは一部のＤＬセルでｅＮＢにＳＲＳを送信できないので、ｅＮＢからＵＥへのＤＬ送信のためのリンク適応を可能にするために、ＵＥはＤＬセルのためのｅＮＢにＣＱＩ、ＰＭＩ、及びＲＩを含むＣＳＩを測定及び報告する必要がある。
これにより、ＵＥ計算の複雑性、メモリ要求事項及び電力消耗が増加するようになり、また、潜在的に大きな個数のＤＬセルに対するＣＳＩフィードバックを含むためにＵＬ送信でのオーバーヘッドが増加するようになる。
【０１０７】
ＵＥがＤＬ送信のために構成されるが、ＵＬ送信が設定されなかったセルでもＵＥがＳＲＳを伝送できるようにするために、高速キャリアスイッチングがＳＲＳ送信に考慮される。
かかる機能は、次のような一連の新しい設計問題を提示する。
ａ）ＵＥがＵＬ送信が設定されなかったセルでＳＲＳ送信電力を決定するメカニズム。
ｂ）ＵＥがＳＲＳを送信し、ＵＥが他のＵＬ送信が設定されなかったセルに対してＰＨ報告を提供するメカニズム。
ｃ）ＵＥがＵＬ送信が設定されたセル及びＵＥが他のＵＬ送信が構成されなかったセルでＳＲＳを同時に送信するように構成された場合の電力割り当て優先順位。
ｄ）セルでのＡ−ＳＲＳ同時送信及び他のセルでのＰＵＳＣＨ／ＰＵＣＣＨ送信を回避するために、ＵＥが他のＵＬ送信が設定されなかったセルでＵＥからのＡ−ＳＲＳ送信のためのタイミングを提供するメカニズム。
ｅ）ＵＥが他のＵＬ送信が構成されなかったセルでＡ−ＳＲＳ送信をトリガするメカニズム。
【０１０８】
したがって、ＵＥがＵＬ送信が設定されなかったセルでＳＲＳ送信電力を決定するためのメカニズムを提供する必要がある。
ＵＥがＳＲＳを送信し、ＵＥがそのセルでの他のＵＬ送信が設定されなかったセルに対するＰＨ報告を定義する必要がある。
ＵＥが他のＵＬ送信が設定されたセル及び他のＵＥがＵＬ送信のために設定されなかったセルでＳＲＳを同時に送信するように構成される場合、ＳＲＳ送信に対する電力割り当てのための優先順位決定規則を確立しなければならないもう一つの必要性がある。
【０１０９】
セルでのＡ−ＳＲＳ同時送信及び他のセルでのＰＵＳＣＨ／ＰＵＣＣＨ送信を回避するために、ＵＥが他のＵＬ送信が設定されなかったセルでＵＥからのＡ−ＳＲＳ送信タイミングのためのメカニズムを提供する必要がある。
また、ＵＥが他のＵＬ送信が設定されなかったセルでＡ−ＳＲＳ送信をトリガするためのメカニズムを提供する必要がある。
以下、明示的に言及されない限り、ＵＥが他のＵＬ送信のために構成されたり、他のＵＬ送信が設定されないＴＤＤセルでＰ−ＳＲＳ又はＡ−ＳＲＳを送信するＵＥに対する参照が行われる。
【０１１０】
≪ＳＲＳ送信電力制御（ＳＲＳ  Ｔｒａｎｓｍｉｓｓｉｏｎ  Ｐｏｗｅｒ  Ｃｏｎｔｒｏｌ）≫
本発明の多様な実施形態は、ＵＥがセルで他のＵＬ送信が設定されなかったセルでＵＥからＳＲＳ送信の電力制御を可能にするメカニズムを考慮する。
【０１１１】
数式１で、Ｐ−ＳＲＳ送信又はＡ−ＳＲＳ送信のための電力は、ＰＵＳＣＨ送信のための電力に対して定義される。ＵＥがＰ−ＳＲＳ又はＡ−ＳＲＳを送信し、ＵＥがＰＵＳＣＨ送信を持たないセルｃで、ＰＵＳＣＨ送信電力から導出されるＰ−ＳＲＳ送信又はＡ−ＳＲＳ送信のための電力制御パラメータは上位階層によってｅＮＢからＵＥに個別的に構成される。
このようなパラメータとしては、ＰＳＲＳ＿ＯＦＦＳＥＴ，ｃ（ｍ）、ＰＯ＿ＰＵＳＣＨ，ｃ（１）、及びαｃ（１）を含む。
また、ｅＮＢは、セルｃでのＰ−ＳＲＳ送信又はＡ−ＳＲＳ送信のためにＴＰＣ命令でＵＥを構成する必要がある。
また、ｅＮＢは上位階層によってｃに対するＰＣＭＡＸ，ｃ（ｉ）値でＵＥを構成する必要がある。
【０１１２】
数式１で、ｅＮＢは上位階層によってセルｃでのパラメータＰＯ＿ＰＵＳＣＨ，ｃ（１）及びＰＵＳＣＨ送信電力に対してＰ−ＳＲＳ（ｍ＝０）及びＡ−ＳＲＳ（ｍ＝１）に対する送信電力をオフセットするためのパラメータＰＳＲＳ＿ＯＦＦＳＥＴ，ｃ（ｍ）でＵＥを構成する。
パラメータＰＯ＿ＰＵＳＣＨ，ｃ（１）は、セル固有のコンポーネント及びＵＥ固有のコンポーネントを有する（ＲＥＦ３参照）。
ＵＥが他のＵＬ送信が設定されなかったセルｃの場合、Ｐ−ＳＲＳ（ｍ＝０）送信及びＡ−ＳＲＳ（ｍ＝０）送信のために上位階層によって新しいパラメータＰＯ＿ＳＲＳ，ｃ（ｍ）がＵＥに対して定義及び構成され、上位階層が各々のＰＯ＿ＰＵＳＣＨ，ｃ（１）及びＰＳＲＳ＿ＯＦＦＳＥＴ，ｃ（ｍ）パラメータを構成する必要がない。
ＰＯ＿ＰＵＳＣＨ，ｃ（１）のように、ＰＯ＿ＳＲＳ，ｃ（ｍ）は、セル固有のコンポーネント及びＵＥ固有のコンポーネントの和であることができる。
【０１１３】
第１アプローチで、ＵＥがＰ−ＳＲＳ送信又はＡ−ＳＲＳ送信が設定された多数のセルに対するＴＰＣ命令は、上位階層によってＵＥに対して設定された「ＴＰＣ−ＰＵＳＣＨ−ＲＮＴＩ」でＣＲＣスクランブリングされたＤＣＩフォーマット３／３Ａによって提供され得る。
ＤＣＩフォーマット３／３Ａは、ＵＥに対するＰＣｅｌｌであるセルのＣＳＳで送信されるＰＤＣＣＨによって伝達される。
「ＴＰＣ−ＰＵＳＣＨ−ＲＮＴＩ」は、ＰＵＳＣＨ送信のためにＵＥに対して構成されたものと同じであることができ、ＵＥからのＰＵＳＣＨ送信がないセルに対するＴＰＣ命令の位置は個別的に構成されたり、連続的であることができ、ＰＵＳＣＨ送信を有するセルに対するＴＰＣ命令の位置に従うことができる。
【０１１４】
第２アプローチで、ＵＥは上位階層によって新しいＲＮＴＩタイプ、「ＴＰＣ−ＳＲＳ−ＲＮＴＩ」で構成することができ、ＵＥは「ＴＰＣ−ＳＲＳ−ＲＮＴＩ」でＣＲＣスクランブリングされたＤＣＩフォーマット３／３Ａをモニタリングして、ＵＥが他のＵＬ送信が構成されなかったセルでのＰ−ＳＲＳ送信又はＡ−ＳＲＳ送信のためのＴＰＣ命令を取得できる。
「ＴＰＣ−ＳＲＳ−ＲＮＴＩ」は、「ＳＲＳ−ＴＰＣ−ＲＮＴＩ」と称する場合もある。
多様な実施形態によれば、ＵＥの少なくとも１つの送受信機は、上位階層シグナリングを介して基地局から、「ＳＲＳ−ＴＰＣ−ＲＮＴＩ」（ｒａｄｉｏ  ｎｅｔｗｏｒｋ  ｔｅｍｐｏｒａｒｙ  ｉｄｅｎｔｉｆｉｅｒ）を含むメッセージを受信し、また、「ＳＲＳ−ＴＰＣ−ＲＮＴＩ」によってＣＲＣ（ｃｙｃｌｉｃ  ｒｅｄｕｎｄａｎｃｙ  ｃｈｅｃｋ）スクランブリングされるＤＣＩのＰＤＣＣＨをデコーディングするようにさらに構成される。
【０１１５】
一例として、ＰＤＣＣＨは、ＤＣＩフォーマットによって共通サーチスペース（ｃｏｍｍｏｎ  ｓｅａｒｃｈ  ｓｐａｃｅ：ＣＳＳ）で送信され得る。
第２アプローチは、ＵＥが他のＵＬ送信が構成されなかったセルでＰＵＳＣＨ送信及びＳＲＳ送信が設定されたセルでＰＵＳＣＨ／ＳＲＳ送信の間に互いに異なるＴＰＣ命令の送信速度を許容するために有利である。
第２アプローチは、また、「ＴＰＣ−ＰＵＳＣＨ−ＲＮＴＩ」によってＣＲＣスクランブリングされたＤＣＩフォーマット３／３Ａに対する既存のｅＮＢ具現を維持するために有利である。
【０１１６】
ＤＣＩフォーマット３／３Ａでのビット位置をＵＥに表示することによってＵＥがセルでＳＲＳ送信電力を調整するためのＴＰＣ命令を取得できるようにするために、ＵＥがＰ−ＳＲＳ又はＡ−ＳＲＳを送信するように構成され、ＵＥが他のＵＬ送信が構成されなかったセルに対して、パラメータ「ｔｐｃ−Ｉｎｄｅｘ−ＳＲＳ」が上位階層によってＵＥに提供される。
「ＴＰＣ−ＰＵＳＣＨ−ＲＮＴＩ」又は「ＴＰＣ−ＳＲＳ−ＲＮＴＩ」でＣＲＣスクランブリングされたＤＣＩフォーマット３／３Ａを検出する際、ＵＥはセルｃに対するパラメータ「ｔｐｃ−Ｉｎｄｅｘ−ＳＲＳ」によって表示される位置でＤＣＩフォーマット３／３Ａのビットから得られたＴＰＣ命令を適用することによって、セルｃでのＰ−ＳＲＳ送信電力又はＡ−ＳＲＳ送信電力を調整する。
以下、パラメータ「ｔｐｃ−Ｉｎｄｅｘ−ＳＲＳ」は、「ＳＲＳ−ＴＰＣ−ＲＮＴＩ」でＣＲＣスクランブリングされた新しいＤＣＩフォーマットの開始ビット位置を表すことができる。
【０１１７】
ＵＥがＳＲＳのみを送信するように構成されたセルｃに対するＳＦｉで送信されるＳＲＳのためのＵＥ送信電力ＰＳＲＳ，ｃ（ｉ）の設定は下記に示す数式５のように定義される。
【数５】
2019513326.tif 000049
【０１１８】
ここで、
ＰＣＭＡＸ，ｃ（ｉ）は、上位階層によってＵＥに構成されたセルｃに対するＳＦｉでの最大ＵＥ送信電力であり、ＰＯ＿ＳＲＳ，ｃ（ｍ）が上位階層によってＵＥに構成され、
ＭＳＲＳ，ｃは、ＲＢの個数で表現されるセルｃに対するＳＦｉでのＳＲＳ送信ＢＷであり、ＴＰＣ命令の
2019513326.tif 000050
の蓄積がセルｃに対して上位階層によってイネーブルされる場合は
2019513326.tif 000051
であり、ＴＰＣ命令
2019513326.tif 000052
の蓄積がセルｃに対して上位階層によってイネーブルされない場合は
2019513326.tif 000053
であり、ここで、
2019513326.tif 000054
は、上位階層によってＵＥに設定された「ＴＰＣ−ＰＵＳＣＨ−ＲＮＴＩ」又は「ＴＰＣ−ＳＲＳ−ＲＮＴＩ」でＣＲＣスクランブリングされたＤＣＩフォーマット３／３Ａによって、セルｃに対して上位階層によってＵＥに設定されたパラメータ「ｔｐｃ−Ｉｎｄｅｘ−ＳＲＳ」によって決定される位置でＵＥに提供されるＴＰＣ命令であり、また、αＳＲＳ，ｃは、セルｃでのＳＲＳ送信のために上位階層によって構成される。
【０１１９】
他の具現例では、数式１の構造を維持することができ、ＵＥにＳＲＳ送信のみが設定されたセルに対してパラメータＰＯ＿ＰＵＳＣＨ，ｃ（１）及びＰＳＲＳ＿ＯＦＦＳＥＴ，ｃ（ｍ）が導入され得る。
したがって、数式５は、ＰＯ＿ＳＲＳ，ｃ（ｍ）をＰＳＲＳ＿ＯＦＦＳＥＴ，ｃ（ｍ）＋ＰＯ＿ＰＵＳＣＨ，ｃ（１）で代えることによって適用することができる。
シグナリング最適化として、上位階層よるＰＯ＿ＰＵＳＣＨ，ｃ（１）の構成を回避し、代わりにＰＣｅｌｌ  ＰＯ＿ＰＵＳＣＨ，ｃ０（１）のような他のセルに対して構成された値を基準値として用いることができる。
【０１２０】
ＵＥは、ｆｃ（０）＝０に設定することによってＵＥが数式５から他の構成送信を持たないセルに対するＰ−ＳＲＳ（タイプ０ＳＲＳ）又はＡ−ＳＲＳ（タイプ１ＳＲＳ）のための初期送信電力を決定することができ、したがって、数式５にある電力制御公式の開ループ成分のみを使用して初期送信電力を決定できる。
代替的には、後述のように、ＵＥがＳＲＳ送信以前にセルに対するランダムアクセスを行う場合、成功したランダムアクセスの完了を招く送信電力に基づいてｆｃ（０）に対する値を決定することができる。
【０１２１】
セルｃに対するＳＦｉでのＰ−ＳＲＳ送信又はＡ−ＳＲＳ送信に対するＰＨ報告は、下記に示す数式６のように計算される。
一実施形態で、ＵＥはＳＲＳ送信のためにＰＨ報告を伝送する。
【数６】
2019513326.tif 000055
同じＴＰＣ命令がＰ−ＳＲＳ送信及びＡ−ＳＲＳ送信に適用され、ｅＮＢはＰＯ＿ＳＲＳ，ｃ（０）とＰＯ＿ＳＲＳ，ｃ（１）の間の差を知っているので、単一のＰＨ報告を提供することができ、ＰＯ＿ＳＲＳ，ｃ（０）を用いてＰ−ＳＲＳが参照されるか、又はＰＯ＿ＳＲＳ，ｃ（１）を用いてＡ−ＳＲＳが参照され得る。
【０１２２】
ＵＥがセルｃに対するＳＦｉで、Ｐ−ＳＲＳ又はＡ−ＳＲＳを送信しない場合、ＲＥＦ３に記載したように
2019513326.tif 000056
が計算される下記に示す数式７でのようにＰＨ報告が計算される。
数式６の場合、ＰＨ報告は、ＰＯ＿ＳＲＳ，ｃ（０）又はＰＯ＿ＳＲＳ，ｃ（１）に対して提供することができる。
【数７】
2019513326.tif 000057
【０１２３】
同じ重み値０＜ｗ（ｉ）≦１を有するＳＦｉでのセルｃに対するＵＥスケーリング
2019513326.tif 000058
の代わりに、ＳＲＳに対する総ＵＥ送信電力が
2019513326.tif 000059
を超過することによって条件
2019513326.tif 000060
を満足する場合、第１アプローチでは、ＵＥが他のＵＬ送信が設定されたセルでのＰ−ＳＲＳ送信又はＡ−ＳＲＳ送信への電力割り当てを優先順位に指定し、ＵＥが他のＵＬ送信が構成されなかったセルでのＰ−ＳＲＳ送信又はＡ−ＳＲＳ送信をそれぞれドロップする。
これはＵＥが他のＵＬ送信も設定されたセルでのＳＲＳ送信は、ＰＤＳＣＨ及びＰＵＳＣＨリンク適応のいずれにも有利であることができるが、その一方で、ＵＥが他のＵＬ送信のために構成されなかったセルでのＳＲＳ送信は、ＰＤＳＣＨリンク適応にのみ有利であるからである。
【０１２４】
第２アプローチで、ＵＥは、他のＵＬ送信が設定されたセルでは、他のＰ−ＳＲＳ送信を介したＰ−ＳＲＳ送信に対する電力割り当て、又は他のＡ−ＳＲＳ送信を介したＡ−ＳＲＳ送信の電力割り当てを優先し、ＵＥは他のＵＬ送信が構成されなかったセルでは、ＳＲＳ送信電力をスケーリングすることで、
2019513326.tif 000061
の条件を満足させ、ここで、Ｃ１は、ＵＥが他のＵＬ送信のために構成されてＵＥがＳＦｉでＰ−ＳＲＳ又はＡ−ＳＲＳを送信するセルのセットで、Ｃ２は、ＵＥが他のＵＬ送信のために構成されず、ＵＥがＳＦｉでＰ−ＳＲＳ又はＡ−ＳＲＳを送信するセルのセットである。
【０１２５】
2019513326.tif 000062
の場合、ＵＥはＣ２セットのセルでのＰ−ＳＲＳ又はＡ−ＳＲＳ送信をドロップし、ＳＦ１でＣ１セットのセルでセルｃに対して
2019513326.tif 000063
をスケーリングすることで、
2019513326.tif 000064
を満足させる。
ＵＥが他のＵＬ送信が構成されなかったセルでのＡ−ＳＲＳ送信は、ＵＥが他のＵＬ送信が設定されたセルでのＰ−ＳＲＳ送信を介した電力割り当ての観点から優先される。
【０１２６】
≪Ａ−ＳＲＳ送信のためのタイミング（Ｔｉｍｉｎｇ  ｆｏｒ  Ａ−ＳＲＳ  Ｔｒａｎｓｍｉｓｓｉｏｎ）≫
本発明の多様な実施形態は、Ａ−ＳＲＳ送信のためのタイミングを定義するメカニズムを考慮する。
【０１２７】
ＵＥが他のＵＬ送信が構成されなかったセルの場合、ＵＥに対するＴＢの送信もスケジューリングする「ＤＬ  ＤＣＩ」フォーマット（例えば、「ＤＬ  ＤＣＩ」フォーマット１Ａ／２Ｂ／２Ｃ／２Ｄ）によってＡ−ＳＲＳ送信がトリガされる。
その後、同じＳＦで、ＵＥはＰＵＣＣＨ送信（ＰＣｅｌｌ又はＰＳＣｅｌｌ）が設定されたセルでは「ＨＡＲＱ−ＡＣＫ」情報を、そして、他のＵＬ送信が構成されなかったセルではＡ−ＳＲＳ送信を送信する必要がある。
その後、互いに異なるセルで同時ＵＬ送信のためのＵＥ能力が超過する場合、特にＵＥがＳＦで同時ＵＬ送信を持つことができるセルの個数が１又は２のように小さくてＳＲＳ及び「ＨＡＲＱ−ＡＣＫ」のすべてを送信できない場合、ＵＥは、例えば、ＰＣｅｌｌ又はＰＳＣｅｌｌでの「ＨＡＲＱ−ＡＣＫ」送信を優先するようになり、他のＵＬ送信のために構成されなかったセルでのＡ−ＳＲＳ送信をドロップするようになる。
ＵＥが他のＵＬ送信が構成されなかったセルでのＡ−ＳＲＳ送信のサポートは、多数の「ＤＬ  ＳＦ」及び少数の「ＵＬ  ＳＦ」を有する「ＴＤ  ＤＵＬ−ＤＬ」構成（「ＤＬ−ｈｅａｖｙＴＤ  ＤＵＬ−ＤＬ」構成）に主に有利で、ＵＥはＡ−ＳＲＳを頻繁に送信することができない。
【０１２８】
第１アプローチでは、ＵＥが第１セル及び第２セルで同時に送信できないので、少なくともＵＥがＡ−ＳＲＳ送信を中断する必要がある場合、ＵＥが他のＵＬ送信が構成されなかった第１セルでＵＥからのＡ−ＳＲＳ送信のためのタイミングは、Ａ−ＳＲＳ送信が第２セルでのＰＵＳＣＨ／ＰＵＣＣＨ送信と一致するか否かによって調整することができる。
したがって、ＳＦｎで送信された「ＤＬ  ＤＣＩ」フォーマットによってトリガされるＡ−ＳＲＳ送信の場合、ＵＥは、ｎ＋ｋ、ｋ≧４及びＴＳＲＳ，１＞２に対して（１０・ｎｆ＋ｋＳＲＳ−Ｔｏｆｆｓｅｔ，１）ｍｏｄＴＳＲＳ，１＝０、又はＴＳＲＳ，１＝２に対して（ｋＳＲＳ−Ｔｏｆｆｓｅｔ，１）ｍｏｄ５＝０を満足させ、また、ＵＥがＡ−ＳＲＳ送信をドロップしないことをさらに満足させる第１ＳＦでＡ−ＳＲＳを送信する。
すなわち、一実施形態で、ＵＥは最初のサブフレームｎ＋ｋ，ｋ≧４が１つ以上のサービングセルに対して「ＨＡＲＱ−ＡＣＫ」を持たないことを満足するｋを決定する。
【０１２９】
図１０は、本発明の一部の実施形態によるＵＥが他のＵＬ送信が構成されなかったセルでのＵＥからのＡ−ＳＲＳ送信のためのタイミングを示した図である。
図１０に示す実施形態は単なる説明のためのものである。
本発明の範囲から逸脱することなく他の実施形態を用いることができる。
【０１３０】
ＵＥがＳＲＳ送信の以外に、他のＵＬ送信が設定されなかったセルは、「ＴＤ  ＤＵＬ−ＤＬ」構成２を用いる。
ＵＥは、セルでのＳＲＳ送信のためにＴＳＲＳ，１＝２及びＴｏｆｆｓｅｔ，１＝１，２に対応するＩＳＲＳ＝２で構成される。
ＵＥは、ＳＦｎ＝３（図１０の１０１０）でＡ−ＳＲＳ送信をトリガするＤＣＩフォーマットを検出する。
ＵＥは、各個数のセルにおいて総ＵＬ送信数に対するＵＥ能力に基づいてＡ−ＳＲＳを送信できる場合、ＳＦｎ＝７（図１０の１０２０）でＡ−ＳＲＳを送信する。
ＵＥが各個数のセルにおいて総ＵＬ送信数に対するＵＥ能力に基づいてＳＦｎ＋４＝７でＡ−ＳＲＳを送信できない場合、ＵＥは特殊ＳＦｎ＝１が２つ以上のＵｐＰＴＳを含むと仮定して、次のフレームの特殊ＳＦｎ＝１（図１０の１０３０）でＡ−ＳＲＳを送信する。
【０１３１】
第１アプローチは、ＵＥがＡ−ＳＲＳを送信するか否かを決定するためにＵＥからＡ−ＳＲＳ送信を受信するｅＮＢの能力に依存する。
例えば、ＵＥが第２セルの第１ＳＦでは、ＰＵＣＣＨ又はＰＵＳＣＨを送信するようになり、また、ＵＥが第１セルの第１ＳＦでは、Ａ−ＳＲＳ送信を延期したりドロップしたりする後続の「ＤＬ  ＤＣＩ」フォーマット又は「ＵＬ  ＤＣＩ」フォーマットをＵＥが検出することに失敗した場合にこのような能力が要求され得る。
また、このような曖昧性は、Ｐ−ＳＲＳ送信のために存在する可能性があり、複数のセルで同時に送信するためのＵＥによる無能力によって、結果としてＵＥがＰＵＣＣＨ又はＰＵＳＣＨを誤って送信するようになり、ＵＥがＰ−ＳＲＳ送信をドロップするＵＥによる「ＤＬ  ＤＣＩ」フォーマット又は「ＵＬ  ＤＣＩ」フォーマットの誤検出が引き起こされる可能性がある。
【０１３２】
第２アプローチで、ＵＥがＡ−ＳＲＳ（又はＰ−ＳＲＳ）を送信するか否かを決定するためのｅＮＢに対する要求事項を回避するために、ＵＥが他のＵＬ送信のために構成されなかったセルでのＡ−ＳＲＳ送信は、常に特殊ＳＦのＵｐＰＴＳで行われ得る。
また、これは特殊ＳＦのＧＰがＳＲＳ送信のキャリアに再調整するために用いることができ、次のＳＦの最初のシンボル又は最後のＵｐＰＴＳが他のキャリアに再調整するために用いることができるので、再調整待機時間のための関連値によって、再調整待機時間を収容することができる。
【０１３３】
第１例で、Ａ−ＳＲＳ送信は常に、ｎ＋ｋ，ｋ≧４を満足させる第１特殊ＳＦで行われる。
ＵｐＰＴＳが１つ以上のシンボルを含む場合、Ａ−ＳＲＳ送信（又はＰ−ＳＲＳ送信）のためのＵｐＰＴＳシンボルは、上位階層によってＵＥに対して構成したり、又はＵＥに対するＣ−ＲＮＴＩから決定することができる。
例えば、「ＮＵｐＴＳ  ＵｐＰＴＳ」シンボルの場合、ＵＥはＡ−ＳＲＳ送信のためのＵｐＰＴシンボルのインデックスを「ｎＣ−ＲＮＴＩ  ｍｏｄＮＵｐＴＳ」に決定でき、ここで、「ｎＣ−ＲＮＴＩ」は、ＵＥに対するＣ−ＲＮＴＩである。
また、ＵＥがＡ−ＳＲＳを送信するＵｐＰＴＳシンボルの個数が上位階層によってＵＥに構成され得る。
【０１３４】
第２例で、「Ａ−ＳＲＳ  ＳＦ」オフセット値は、下記に示す表６のように修正することができる。
ＴＳＲＳ，１＝２又はＴＳＲＳ，１＝５において、特殊ＳＦにある１つのＵｐＰＴシンボルの場合、ＳＲＳ構成インデックスを提供する必要がない。
表６：ＴＤＤでＡ−ＳＲＳのためのＵＥ固有のＳＲＳ周期ＴＳＲＳ，１及びＳＦオフセット構成Ｔｏｆｆｓｅｔ，１
【表６】
2019513326.tif 000065
【０１３５】
第３アプローチで、ＵＥがＳＦ内の第１セルでＰ−ＳＲＳ又はＡ−ＳＲＳを送信するように構成され、ＵＥがＳＦ内の第２セルでＰＵＳＣＨ又はＰＵＣＣＨも送信するように構成され、また、同時送信を有する複数のセルに対するＵＥ能力が超過する場合、ＵＥが第１セルでＰ−ＳＲＳ又はＡ−ＳＲＳを送信するＳＦシンボル内の第２セルでＰＵＳＣＨ又は、ＰＵＣＣＨ送信をパンクチャリング／中止するか否か、又はＰ−ＳＲＳ又はＡ−ＳＲＳ送信をドロップするか否かがＵＥに対して構成され得る。
【０１３６】
例えば、ＵＥに対して構成される場合、ＵＥは最後のＳＦシンボルの第２セルでのＰＵＣＣＨ又はＰＵＳＣＨ送信を中止し、ＵＥは第１セルの最後のＳＦシンボルでＰ−ＳＲＳ又はＡ−ＳＲＳを送信する。
最後のＳＦシンボルの第２セルでのＰＵＣＣＨ又はＰＵＳＣＨ送信中止は、第２セルでのＳＲＳ送信が設定されないＳＦにも適用され、又はＰＵＳＣＨ／ＰＵＣＣＨ送信が第２セルでセル固有の最大ＳＲＳ送信ＢＷと重ならない場合にも適用される。
ＰＵＣＣＨフォーマット２送信において、ＵＥがデフォルトによって最後のＳＦシンボルをパンクチャリングしない場合、システム動作は、ＵＥがＳＲＳ送信又はＰＵＣＣＨフォーマット２送信の内の１つをドロップするように指定できる。
【０１３７】
図１１は、本発明の一部の実施形態によって第１セルでＳＲＳを送信するように第２セルでＰＵＳＣＨ又はＰＵＣＣＨ送信のための最後のＳＦシンボルをパンクチャリングすることを示した図である。
図１１に示す実施形態は単なる説明のためのものである。
本発明の範囲から逸脱することなく他の実施形態を用いることができる。
【０１３８】
ＵＥは同じＳＦ内の第１セルでＳＲＳを、そして、第２セルでＰＵＳＣＨ又はＰＵＣＣＨを送信する。
ｅＮＢは、最後のＳＦシンボルでのＰＵＳＣＨ又はＰＵＣＣＨ送信を中止し、ＵＥが他のＵＬ送信が構成されなかったセルでＳＲＳを送信するようにＵＥを構成する。
ＵＥは、第２セルの最後のＳＦシンボル１１１０でのＰＵＳＣＨ又はＰＵＣＣＨ送信を中止し、ＵＥは第１セル１１２０でＳＲＳを送信する。
ＵＥがＰＵＣＣＨ送信の完了以前に（すなわち、ＳＦの終了以前に）ＰＵＣＣＨ送信のキャリアからＳＲＳ送信のキャリアに再調整する必要があるか、又はＵＥがＰＵＣＣＨ送信の開始以後に（すなわち、ＳＦの開始以後に）ＳＲＳ送信のキャリアからＰＵＣＣＨ送信のキャリアに再調整する必要がある再調整待機時間が十分に長い場合、ＳＦの各スロットにわたって直交カバーリングコードを用いる他のＵＥからのＰＵＣＣＨ送信を有するＵＥからのＰＵＣＣＨ送信の時間ドメインでの直交多重化は不可能で、特に互いに異なるＵＥが自らの能力によって互いに異なる再調整待機時間を必要とする場合にそうである。
【０１３９】
再調整待機時間にかかわらず同じＰＲＢ対でのＰＵＣＣＨ送信等の直交多重化能力を維持し、互いに異なるＵＥから送信された受信ＰＵＣＣＨに対する遠近効果を防止するために、他の直交カバーリングコード（ｏｒｔｈｏｇｏｎａｌ  ｃｏｖｅｒｉｎｇ  ｃｏｄｅ、ＯＣＣ）の使用によって時間ドメインでの直交多重化を排除することによってサイクリックシフトドメインでのみに多重化が制限され得る。
結果的なリソース割り当て及び各々のＰＵＣＣＨ送信機及び受信機構造がシステムＢＷの小さな部分でのみ送信できる低コストのＵＥに関してＲＥＦ６で説明されている。
一般に、直交多重化を排除することは、全ての類型の応用に適用することができる。
【０１４０】
≪Ａ−ＳＲＳ送信トリガ（Ａ−ＳＲＳ  Ｔｒａｎｓｍｉｓｓｉｏｎ  Ｔｒｉｇｇｅｒｉｎｇ）≫
本発明の多様な実施形態は、Ａ−ＳＲＳ送信をトリガするメカニズムを考慮する。
【０１４１】
第１アプローチで、ＵＥから他のＵＬ送信がないセルでＵＥからのＡ−ＳＲＳ送信は、セルでのＰＤＳＣＨ送信をスケジューリングする「ＤＬ  ＤＣＩ」フォーマット、例えば、「ＤＬ  ＤＣＩ」フォーマット１Ａ／２Ｂ／２Ｃ／２Ｄによってのみ構成される。
「ＵＬ  ＤＣＩ」フォーマットは、関連づけられたＰＵＳＣＨが送信されるセルにのみＡ−ＳＲＳ送信を構成する。
第２アプローチで、ｅＮＢは、ＵＥのグループに対するＡ−ＳＲＳ送信（ＳＲＳ−ＲＮＴＩ）をトリガするＵＥ共通ＤＣＩフォーマットのＣＲＣをスクランブリングするためにＵＥ共通ＲＮＴＩでＵＥを構成できる。
【０１４２】
これにより、ｅＮＢは、各々の「ＤＬ  ＤＣＩ」フォーマットを送信することなくＵＥのグループからＡ−ＳＲＳ送信をトリガして関連ＰＤＳＣＨ送信をＵＥのグループにスケジューリングすることができるようになり、また、ｅＮＢはＵＥのグループ内のＵＥに対するＰＤＳＣＨ送信をスケジューリング（又はスケジューリングしない）する前にＣＳＩ情報を取得できるようになる。
ＵＥは、ＰＵＳＣＨ送信が設定されたセル又はＰＵＳＣＨ送信が構成されなかったセルの内のいずれか、又は両方を含むことができる１つ以上の各構成されたセルに対する各々のＡ−ＳＲＳトリガ表示に対応するＵＥ共通ＤＣＩフォーマット内の１つ以上の位置でＵＥが構成され得る。
ＵＥは、１つ以上のセルからなる１つ以上の各グループでのＳＲＳトリガに対応する１つ以上のＳＲＳ−ＲＮＴＩで構成することができる。
【０１４３】
ｅＮＢは、ＤＣＩフォーマットのＣＲＣをスクランブリングするＳＲＳ−ＲＮＴＩをＵＥに構成する。
例えば、ＤＣＩフォーマットは、ＤＣＩフォーマット０／１Ａ、又はＤＣＩフォーマット３／３Ａと同じ大きさを有することができる。
これにより、ＵＥがＳＦで行う必要がある多数のＰＤＣＣＨデコーディング動作を増加させることを回避できる。
また、ｅＮＢは、ＤＣＳフォーマットでＵＥに対するＡ−ＳＲＳトリガビットの位置を決定するためのＵＥに対するインデックス「Ｉｎｄｅｘ−ＳＲＳ」をＵＥに構成する。
Ａ−ＳＲＳトリガビットの数は、システム動作で予め定められるか、又はＵＥに構成することができる。
【０１４４】
例えば、ＳＲＳトリガビットの数は、１つの送信機アンテナを有するＵＥの場合は「１」であり、１つ以上の送信機アンテナを有するＵＥの場合は「２」であることができる。
ＵＥには各々のセルに対する位置が、例えば、セルインデックスの昇順によって決定することができるか、又は各々のセルに対して個別的に構成することができる各々の個数のセルにおけるＡ−ＳＲＳトリガビットに対する多数の位置が構成され得る。
例えば、ＵＥのグループ内の１６個のＵＥ、３２ビットを含むＤＣＩフォーマット、及びセルでＡ−ＳＲＳ送信をトリガするための２ビットに対して、ｅＮＢは３番目のビット対を示すように「Ｉｎｄｅｘ−ＳＲＳ」インデックスの値を設定することによって、Ａ−ＳＲＳトリガビットとして５番目のビット及び６番目のビットをＵＥに構成できる。
例えば、ＵＥのグループ内の４個のＵＥ、３２ビットを含むＤＣＩフォーマット、及びセル内のＡ−ＳＲＳ送信をトリガするための２ビットに対して、ｅＮＢは２番目の８ビットを示すように「Ｉｎｄｅｘ−ＳＲＳ」インデックスの値を設定することによって、４個の構成セルに対するＡ−ＳＲＳトリガビットとして２番目の８ビットをＵＥに構成できる。
【０１４５】
また、ＳＲＳ送信のための多数のＴＰＣ命令ビットがＳＲＳ−ＲＮＴＩによってＣＲＣスクランブリングされたＵＥ共通ＤＣＩフォーマットに含まれることができる。
ＴＰＣ命令ビットの数は、各ＵＥに対して同じであることができ、例えば、ＤＣＩフォーマット３でのような２ビット又はＤＣＩフォーマット３Ａでのような１ビットなどに、システム動作で定義することができる。
その後、Ａ−ＳＲＳ送信周期によって「ＤＬ  ＳＦ」又は特殊ＳＦで、又は予め決められた「ＤＬ  ＳＦ」又は特殊ＳＦで、ＵＥはＵＥ共通ＤＣＩフォーマットを検出して各々のセルでＡ−ＳＲＳを送信するか否かを決定し、そのセルでのＡ−ＳＲＳ送信の場合に各々のパラメータセットを決定し、そのセルでのＡ−ＳＲＳ又はＰ−ＳＲＳのための送信電力を調整するＴＰＣ命令を決定することを試みることができる。
【０１４６】
第１例で、ＵＥからのＡ−ＳＲＳ送信のための多数のＴＰＣ命令ビットは、ＵＥからのＡ−ＳＲＳ送信を構成する多数のビットに連続することができる。
第２例で、ＴＰＣ命令ビットは、全てのＵＥに対するＡ−ＳＲＳ送信トリガビットの後に位置でき、各ＵＥはＡ−ＳＲＳトリガビットの位置に基づいてＴＰＣ命令ビットの位置を導出することができる。
例えば、ＵＥのグループ内の８個のＵＥ、３２ビットを含むＵＥ共通ＤＣＩフォーマット、及びセル内のＡ−ＳＲＳ送信をトリガするための２ビット及びＴＰＣ命令のための２ビットに対して、Ａ−ＳＲＳトリガビットとして５番目のビット及び６番目のビットで構成されたＵＥは、ＴＰＣ命令ビットが第１例によって８ビットのうち７番目のビットであることに、又は、第２例によって２１番目及び２２番目ビットであることに決定できる。
【０１４７】
例えば、ＵＥのグループ内の４個のＵＥ、３２ビットを含むＤＣＩフォーマット、及びセルでＡ−ＳＲＳ送信をトリガするための２ビット及びＴＰＣ命令のための２ビットに対して、ｅＮＢは２番目の８ビットを示すように「Ｉｎｄｅｘ−ＳＲＳ」インデックスの値を設定することによって２つの構成セルに対するＡ−ＳＲＳトリガビット及びＴＰＣ命令ビットとして２番目の８ビットをＵＥに構成できる。
また、Ａ−ＳＲＳトリガビットとＴＰＣ命令ビットの順序は入れ替えられる。
同じアプローチが各セルでのＳＲＳ送信のためのＴＰＣ命令の「ＴＰＣ−ＳＲＳ−ＲＮＴＩ」によってＣＲＣスクランブリングされたＤＣＩフォーマット３／３Ａ内の位置を決定するためにＵＥに適用することができる。
【０１４８】
図１２は、本発明の一部の実施形態によって、ＵＥがセルでＡ−ＳＲＳを送信するか否かを示すＳＲＳ−ＲＮＴＩによってＣＲＣスクランブリングされたＤＣＩフォーマットのコンテンツを示した図である。
図１２に示す実施形態は単なる説明のためのものである。
本発明の範囲から逸脱することなく他の実施形態を用いることができる。
【０１４９】
ｅＮＢは、ＵＥ共通ＤＣＩフォーマットに対するＳＲＳ−ＲＮＴＩ及びセル内のＡ−ＳＲＳトリガビットに対するＵＥ共通ＤＣＩフォーマット内の位置をＵＥに設定する（１２１０）。
ｅＮＢは、ＳＦで各々のＡ−ＳＲＳ送信をトリガするためにＵＥのグループの中からＵＥを決定する（１２２０）。
ｅＮＢは、ｅＮＢがＵＥからＡ−ＳＲＳ送信をトリガするか否かによってビットの値を設定する（１２３０）。
例えば、セルと関連づけられた２ビットの場合、ｅＮＢはその２ビットの値に対応する構成によって、セルでＵＥからＡ−ＳＲＳ送信をトリガしない場合は「００」値を設定し、セルでＵＥからＡ−ＳＲＳ送信をトリガする場合は「００」以外の値を設定する。
ｅＮＢは、ＳＲＳ−ＲＮＴＩによってＣＲＣスクランブリングされたＤＣＩフォーマットを送信する（１２４０）。
【０１５０】
ＵＥは、ｅＮＢからＵＥ共通ＤＣＩフォーマットに対するＳＲＳ−ＲＮＴＩの設定及びセルでＵＥからのＡ−ＳＲＳ送信をトリガすることと関連づけられたビットのＵＥ共通ＤＣＩフォーマット内の位置に対する設定を受信する（１２５０）。
ＵＥは、ＳＲＳ−ＲＮＴＩによってＣＲＣスクランブリングされたＵＥ共通ＤＣＩフォーマットを検出する（１２６０）。
ＵＥは、Ａ−ＳＲＳトリガビットの値を取得する（１２７０）。
Ａ−ＳＲＳトリガビットの値に対応するパラメータによって、Ａ−ＳＲＳトリガビットの値が「００」の場合、ＵＥはそのセルでＡ−ＳＲＳを送信せず、Ａ−ＳＲＳトリガビットの値が「００」でない場合、ＵＥは各々のセルでＡ−ＳＲＳを送信する。
図１２の例は、ＵＥがＳＲＳ送信のために単一セルが設定されたと仮定する。
【０１５１】
図１３は、本発明の一部の実施形態によって、ＵＥがセルでＡ−ＳＲＳを送信するか否かを示し、また、ＳＲＳ送信電力に適用するＵＥに対するＴＰＣ命令を示すＳＲＳ−ＲＮＴＩによってＣＲＣスクランブリングされたＤＣＩフォーマットのコンテンツを示した図である。
図１３に示す実施形態は単なる説明のためのものである。
本発明の範囲から逸脱することなく他の実施形態を用いることができる。
【０１５２】
ｅＮＢは、ＵＥ共通ＤＣＩフォーマットに対するＳＲＳ−ＲＮＴＩ、セルでＵＥからのＡ−ＳＲＳ送信をトリガすることと関連づけられたビットのＵＥ共通ＤＣＩフォーマット内の位置、及びＳＲＳ送信電力調整を決定するためのＵＥに対するＴＰＣ命令をＵＥに設定する（１３１０）。
ｅＮＢは、各々のＡ−ＳＲＳ送信をトリガするためのＵＥのグループの中からＵＥを決定し、また、電力調整のための各々のＴＰＣ命令を決定する（１３２０）。
ｅＮＢは、セルでＵＥからＡ−ＳＲＳ送信をトリガするか否かによってＡ−ＳＲＳトリガビット（例えば、Ａ−ＳＲＳトリガビットのブロック）の値を設定する（１３３０）。
ｅＮＢは、ＳＲＳ−ＲＮＴＩによってＣＲＣスクランブリングされたＤＣＩフォーマットを送信する（１３４０）。
【０１５３】
ＵＥは、ｅＮＢからＵＥ共通ＤＣＩフォーマットに対するＳＲＳ−ＲＮＴＩ及びセルでＵＥからＡ−ＳＲＳ送信をトリガすることと関連づけられたビットのＵＥ共通ＤＣＩフォーマット内の位置及び各々の電力調整のためのＴＰＣ命令に対する設定を受信する（１３５０）。
ＵＥは、ＳＲＳ−ＲＮＴＩによってＣＲＣスクランブリングされたＵＥ共通ＤＣＩフォーマットを検出する（１３６０）。
ＵＥは、Ａ−ＳＲＳトリガビット（例えば、Ａ−ＳＲＳトリガビットのブロック）及びＴＰＣ命令ビット（例えば、ＴＰＣ命令ビットのブロック）の値を取得する（１３７０）。
ビットの値に対応するパラメータによって、Ａ−ＳＲＳトリガビットの値が「００」の場合、ＵＥはそのセルでＡ−ＳＲＳを送信せず、Ａ−ＳＲＳトリガビットの値が「００」でない場合、ＵＥはＴＰＣ命令から決定された電力調整によってそのセルでＡ−ＳＲＳを送信する（１３８０）。
【０１５４】
該パラメータは、上位階層によってｅＮＢからのビット値に構成されたり、システム動作で決定される。
ＵＥは、Ａ−ＳＲＳ送信がトリガされない場合にもＴＰＣ命令を処理できる。
図１３の例は、ＵＥがＳＲＳ送信のために単一セルが設定されたことを仮定する。
【０１５５】
他のＵＬ送信がなくセル内にＵＥからのＡ−ＳＲＳ送信を構成するための「ＵＬ  ＤＣＩ」フォーマットがないので、ＵＥがＡ−ＳＲＳを送信するか否かを示す「ＤＬ  ＤＣＩ」フォーマットの単一ビットのみが存在するので、Ａ−ＳＲＳ送信のための単一構成のみが可能である。
複数の送信機アンテナを有するＵＥの場合、これはＡ−ＳＲＳ送信のためのＵＥアンテナポートのセットの動的決定のための柔軟性がないことを意味し、このセットは上位階層によって表示される必要がある。
【０１５６】
例えば、２つのＵＥ送信機アンテナポートの場合に、ＵＥがＡ−ＳＲＳを送信するために、１つのアンテナポートを使用すべきか、又は２つのアンテナポートを使用すべきか、又は４つのＵＥ送信機アンテナポートの場合に、ＵＥがＡ−ＳＲＳを送信するために１つ、２つ、又は４つのアンテナポートの内のどれを使用すべきかに対してｅＮＢが動的に構成するための柔軟性がない。
また、Ａ−ＳＲＳ送信のためにＢＷを動的に構成することにおいての柔軟性がない。
これは、特に複数のＵＥ送信機アンテナポートの場合に不利で、その理由は、ＵＥが全てのアンテナポートから同時にＳＲＳを送信可能でない場合もあり、ＵＥが他のＵＬ送信も有する場合は、度々最大利用可能な送信電力より少ない場合があるＳＲＳ送信のための電力が、ＵＥ送信機アンテナポートの間に同一に分割される必要があり、Ａ−ＳＲＳ送信において十分に大きな電力スペクトル密度を達成するためには、度々Ａ−ＳＲＳ送信ＢＷが最大電力のものよりも小さいものの方が好ましい場合があるからである。
【０１５７】
Ａ−ＳＲＳ送信のためのパラメータを動的に構成することにおける上記制限事項は、Ａ−ＳＲＳ送信のためのパラメータセットに対する動的構成を可能にするか、又は周波数ホッピングと共に複数のＳＦでＡ−ＳＲＳ送信のための構成を可能にすることで緩和することができる。
パラメータセットに対する動的構成は、ＵＥが他のＵＬ送信なしで、セルでＡ−ＳＲＳ送信が設定された場合、「ＤＬ  ＤＣＩ」フォーマットのＳＲＳトリガビット数を１から２ビット以上に増加させるか、又は各々のセルで１つ以上のビットをＡ−ＳＲＳトリガと関連づけることができるＳＲＳ−ＲＮＴＩによってＣＲＣスクランブリングされた新しいＤＣＩフォーマットを用いることによって可能になる。
例えば、２ビットの場合、パラメータの構成に対するマッピングと表２と同じであることができる。
ＳＲＳ−ＲＮＴＩは、「ＳＲＳ−ＴＰＣ−ＲＮＴＩ」と称することができる。
【０１５８】
多様な実施形態によれば、ＴＤＤ（ｔｉｍｅ  ｄｉｖｉｓｉｏｎ  ｄｕｐｌｅｘ）に対して１つ以上のサービングセルが設定されたユーザ機器（ＵＥ）である装置は、少なくとも１つのプロセッサ、及び少なくとも１つのプロセッサに機能的にカップリングされた少なくとも１つの送受信機を含む。
少なくとも１つの送受信機は、送信電力制御（ｔｒａｎｓｍｉｔ  ｐｏｗｅｒ  ｃｏｎｔｒｏｌ：ＴＰＣ）命令に対する第１情報及びサウンディング基準信号（ｓｏｕｎｄｉｎｇ  ｒｅｆｅｒｅｎｃｅ  ｓｉｇｎａｌ：ＳＲＳ）要求に対する第２情報を含むＤＣＩ（ｄｏｗｎｌｉｎｋ  ｃｏｎｔｒｏｌ  ｉｎｆｏｒｍａｔｉｏｎ）フォーマットを用いるＤＣＩを受信し、ＤＣＩに基づいてＳＲＳを送信する。
【０１５９】
多様な実施形態によれば、ＳＲＳはＰＵＳＣＨ（ｐｈｙｓｉｃａｌ  ｕｐｌｉｎｋ  ｓｈａｒｅｄ  ｃｈａｎｎｅｌ）／ＰＵＣＣＨ（ｐｈｙｓｉｃａｌ  ｕｐｌｉｎｋ  ｃｏｎｔｒｏｌ  ｃｈａｎｎｅｌ）送信が設定されなかったサービングセルで送信される。
多様な実施形態によれば、ＳＲＳ要求に対する第２情報は、ＵＥがサービングセルで非周期的ＳＲＳ（ａｐｅｒｉｏｄｉｃ  ＳＲＳ、Ａ−ＳＲＳ）を送信するか否かを示す。
一部の実施形態で、ＳＲＳ要求に対する第２情報が正数を示す場合、第２情報に応じてＳＲＳがＡ−ＳＲＳとして送信され、ＳＲＳ要求に対する第２情報が「０」である場合、ＳＲＳは上位階層による設定に応じて送信される。
【０１６０】
少なくとも各々のＳＲＳ送信が表１のようなセル固有の「ＳＲＳ  ＢＷ」構成によってｅＮＢが示す最大送信ＢＷより小さいＢＷを介して行われる場合、ｅＮＢは同じアンテナポート、又は互いに異なるアンテナポートから、ＳＦの多数の多重シンボル又は多重ＳＦでのＡ−ＳＲＳ送信でＵＥを構成できる。
例えば、Ａ−ＳＲＳ送信が最大送信ＢＷの半分によって行われるように構成される場合、この送信は特殊ＳＦのようなＳＦの２つの連続的なシンボルで発生するか、又は最大送信ＢＷの２つの半分の間の連続的なＳＦ及び周波数ホップで発生する。
例えば、ＵＥが２つのアンテナポートを有し、２つのアンテナポートから同時にＳＲＳを送信できない場合、ＳＲＳ送信は特殊ＳＦのようなＳＦの２つの連続的なシンボルで、又は連続的なＳＦで発生することができ、第１シンボルで第１アンテナポートから、及び第２シンボルで第２アンテナポートから行われることができる。
【０１６１】
一般に、ｅＮＢがセル内に
2019513326.tif 000066
ＲＢのＳＲＳ送信ＢＷをＵＥに構成し、ｅＮＢがセル内に
2019513326.tif 000067
ＲＢの最大ＳＲＳ送信ＢＷを示す場合、ＵＥはセル内の
2019513326.tif 000068
ＲＢを構成する
2019513326.tif 000069
ＲＢの
2019513326.tif 000070
ＳＲＳ送信ＢＷの各々でＳＲＳ送信シンボルごとの周波数ホッピングで
2019513326.tif 000071
ＳＦを介してＡ−ＳＲＳを送信する。
【０１６２】
複数のシンボル又は複数のＳＦを介した周波数ホッピング又は送信が可能になるか否かは、上位階層によってＵＥに構成されることができ、又はセルでのＡ−ＳＲＳトリガが１より大きいビットを用いる場合、複数のパラメータセットがＡ−ＳＲＳ送信のために存在する時にはパラメータセットと関連づけることができる。
周波数ホッピング又は「ｍｕｌｔｉ−ｓｙｍｂｏｌＡ−ＳＲＳ」送信が設定されなかったＵＥが最大ＳＲＳ送信ＢＷを介してＡ−ＳＲＳを送信することも可能である。
【０１６３】
第１例で、Ａ−ＳＲＳ送信ＢＷは、Ａ−ＳＲＳをトリガするＤＣＩフォーマットが送信されるＳＦと関連づけることができる。
例えば、同じ値のＡ−ＳＲＳトリガビットの場合、ＵＥは偶数インデックスを有するＳＦでＡ−ＳＲＳをトリガするＤＣＩフォーマットを検出する際に第１ＢＷでＡ−ＳＲＳを送信でき、ＵＥは奇数インデックスを有するＳＦでＡ−ＳＲＳをトリガするＤＣＩフォーマットを検出する際に第２ＢＷでＡ−ＳＲＳを送信できる。
【０１６４】
第２例で、１より大きいＡ−ＳＲＳトリガビットの場合に、Ａ−ＳＲＳトリガビットの第１値は、第１Ａ−ＳＲＳ送信ＢＷ又は第１アンテナポートセットを含む第１パラメータセットと関連づけることができ、Ａ−ＳＲＳトリガビットの第２値は、第２Ａ−ＳＲＳ送信ＢＷ又は第２アンテナポートセットを含む第２パラメータセットと関連づけることができる。
【０１６５】
図１４は、本発明の一部の実施形態によって周波数ホッピングを用いる複数のＳＦで、１つのＤＣＩフォーマットによってトリガされるＡ−ＳＲＳ送信を示した図である。
図１４に示す実施形態は単なる説明のためのものである。
本発明の範囲から逸脱することなく他の実施形態を用いることができる。
【０１６６】
ｅＮＢは、７２個のＲＢ１４０２の最大「ＳＲＳ  ＢＷ」を有する「ＳＲＳ  ＢＷ」設定３（図１４の１４００）をシステム情報によってシグナリングする。
システムＢＷ（１４０６、１４０８）内の多数のＲＢではＳＲＳ送信が存在しない。
ＵＥは、第１ＳＦで２４個のＲＢ１４１０の第１ＢＷを介してＡ−ＳＲＳを送信するように上位階層によって構成される。
第１ＳＦでのＡ−ＳＲＳ送信のためのＢＷ位置は、上位階層によってＵＥに構成されることができるか、又は、例えば、さらに低いインデックスを有する２４個のＲＢを含むものになるなどに予め決定することができる。
【０１６７】
ｅＮＢは、独立した構成で又はＡ−ＳＲＳ送信のためのパラメータセットの表示によって３つのＳＦを介した周波数ホッピングでＡ−ＳＲＳを送信することによって最大７２個のＲＢのＢＷがＵＥによってサウンディングされるようにＵＥを構成する。
ＵＥは、第２ＳＦの１４２０で最も大きなインデックスを有する２４個のＲＢでＡ−ＳＲＳを送信し、第３ＳＦの１４３０にある７２個のＲＢの内の中間の２４個のＲＢでＡ−ＳＲＳを送信する。
ＵＥがＳＲＳを送信するように構成され、任意の他のＵＬ送信が設定されなかったセルが、ＵＥが他のＵＬ送信が設定されたセルの内の任意のセルと異なるＴＡＧを必要とする場合、ＵＥはｅＮＢからのＰＤＣＣＨ命令に応じてセル内のＰＲＡＣＨ（ｐｈｙｓｉｃａｌ  ｒａｎｄｏｍ  ａｃｃｅｓｓ  ｃｈａｎｎｅｌ）でランダムアクセス（ｒａｎｄｏｍ  ａｃｃｅｓｓ：ＲＡ）プリアンブルを送信することによって、ｅＮＢがセルでのＳＲＳ送信に対するランダムアクセス応答（ｒａｎｄｏｍ  ａｃｃｅｓｓ  ｒｅｓｐｏｎｓｅ、ＲＡＲ）を介して適切なタイミングアドバンス（ｔｉｍｉｎｇ  ａｄｖａｎｃｅ：ＴＡ）値をＵＥに発行するようにすることができる。
【０１６８】
したがって、セルでＳＲＳのみを送信するように設定されたＵＥは、そのセルでＰＲＡＣＨ送信もサポートする必要があることができる。
この場合、ＵＥが同じＳＦ内の互いに異なるセルでの総送信回数に対するＵＥ能力によって送信を中止する必要がある時、ＵＥは他のセルでの他の送信より（ＰＲＡＣＨ）送信を除く）そのセルでのＰＲＡＣＨ送信を優先できる。
ＵＥに対してＳＲＳ送信のみが設定された場合（すなわち、ＵＥに対してＰＵＳＣＨ／ＰＵＣＣＨ送信が設定されなかった）セルでＰＲＡＣＨ送信に対する必要性は、ＵＥがＰＵＳＣＨ／ＰＵＣＣＨ送信が設定されたセルと同じＴＡＧに属するようにそのセルを制限することによって回避できる。
【０１６９】
ＵＥは、セルｃでＰＲＡＣＨを送信した後のキャリア−スイッチＳＲＳ送信のための初期電力を次のように決定できる。
セルｃでのＳＲＳ送信の第１ＳＦｉ＝０の場合、
2019513326.tif 000072
で、ここで、δＳＲＳ，ｃは、ＤＣＩフォーマット３／３Ａ（ＳＲＳ−ＲＮＴＩによるＣＲＣスクランブルを持つ）でのＴＰＣ命令であり、
2019513326.tif 000073
、ＭＳＲＳ，ｃは、第１ＳＲＳ送信の帯域幅で、ΔＰｒａｍｐｕｐｒｅｑｕｅｓｔｅｄ，ｃは、上位階層によって提供されるものでセルｃの最初乃至最後のＲＡプリアンブルの上位階層によって要求された総電力ランプアップに該当する。
【０１７０】
ＳＲＳ−ＲＮＴＩでＣＲＣスクランブリングされる関連ＤＣＩフォーマットがない関連づけられたキャリア−スイッチＳＲＳ送信の場合、δＳＲＳ，ｃ＝０である。
すなわち、一実施形態で、ｆｃ（０）＝ΔＰｒａｍｐｕｐ，ｃである。
【０１７１】
本発明は、ＵＥが他のＵＬ送信が構成されなかったセルでＵＥからのＳＲＳ送信を可能にする。
本発明は、ＵＥがＵＬ送信が構成されなかったセルでのＳＲＳ送信のための電力制御メカニズムを提供する。
また、本発明は、ＵＥがＳＲＳを送信しＵＥがそのセルで他のＵＬ送信が構成されなかったセルに対するＰＨ報告の定義を提供する。
本発明は、ＵＥが他のＵＬ送信が設定されたセルで、及びＵＥがアップリンク（ＵＬ）送信が構成されなかったセルで、ＳＲＳを同時に送信するように構成される場合、ＳＲＳ送信に対する電力割り当てのための優先順位規則を追加的に提供する。
本発明は、ＵＥが他のＵＥ送信が構成されなかったセルでＵＥからのＡ−ＳＲＳ送信タイミングのためのメカニズムをさらに提供することによって、そのセルでのＡ−ＳＲＳの同時送信及び他のセルでのＰＵＳＣＨ（ｐｈｙｓｉｃａｌ  ＵＬ  ｓｈａｒｅｄ  ｃｈａｎｎｅｌ）／ＰＵＣＣＨ（ｐｈｙｓｉｃａｌ  ＵＬ  ｃｏｎｔｒｏｌ  ｃｈａｎｎｅｌ）の送信を回避するようにする。
本発明は、ＵＥが他のＵＬ送信が構成されなかったセルでＡ−ＳＲＳ送信をトリガするためのメカニズムを提供する。
【０１７２】
請求範囲内の「メカニズム」、「モジュール」、「デバイス」、「ユニット」、「コンポーネント」、「要素」、「メンバー」、「装置」、「マシン」、「システム」、「プロセッサ」又は「制御機」を含み、また、これに限定されない任意の他の用語の使用は、本出願人によって関連技術分野の当業者に公知の構造を示すものとして理解される。
【０１７３】
本発明が例示的な実施形態で説明したが、多様な変更及び修正が当業者に提案され得る。
本発明は、添付された請求範囲の範囲内にあるそのような変更及び修正を含むものとして意図される。
【符号の説明】
【０１７４】
１００、１３０    無線ネットワーク
１０１、１０２、１０３    ｅＮＢ（ＢＳ）
１１１〜１１６    ユーザ機器（ＵＥ）
１２０、１２５    カバレッジ領域
３０５、３７０ａ〜ｎ    アンテナ
３１５、３７４    送信（ＴＸ）処理回路
３２５、３７６    受信（ＲＸ）処理回路
３２０    マイクロホン
３３０    スピーカ
３４０    メインプロセッサ
３４５    入／出力（Ｉ／Ｏ）インタフェース
３５０    キーパッド
３５５    ディスプレイ
３６０    メモリ
３６１    オペレーティングシステム（ＯＳプログラム）
３６２    アプリケーション
３７２ａ〜ｎ    ＲＦ送受信機
３７８    制御機／プロセッサ
３８０    メモリ
３８２    （ネットワーク）インタフェース
【図１】
2019513326.tif 000077
【図２Ａ】
2019513326.tif 000078
【図２Ｂ】
2019513326.tif 000079
【図３Ａ】
2019513326.tif 000080
【図３Ｂ】
2019513326.tif 000081
【図４】
2019513326.tif 000082
【図５】
2019513326.tif 000083
【図６】
2019513326.tif 000084
【図７】
2019513326.tif 000085
【図８】
2019513326.tif 000086
【図９】
2019513326.tif 000087
【図１０】
2019513326.tif 000088
【図１１】
2019513326.tif 000089
【図１２】
2019513326.tif 000090
【図１３】
2019513326.tif 000091
【図１４】
2019513326.tif 000092
【国際調査報告】
2019513326.tif 000093
2019513326.tif 000094